(57)【要約】表示装置３にオブジェクトを表示する情報処理装置２であって、前記オブジェクトへの操作を受け付ける操作受付手段２５と、前記操作受付手段が複数の前記オブジェクトに対する変倍操作を受け付けた場合、前記オブジェクトの構成点の座標を変倍する座標変更手段３２５と、前記座標変更手段により前記構成点の座標が変倍された複数の前記オブジェクトを前記表示装置に表示させるオブジェクト表示手段３２と、を有する。
2016194650.tif 000002
【特許請求の範囲】
【請求項１】
表示装置にオブジェクトを表示する情報処理装置であって、
前記オブジェクトへの操作を受け付ける操作受付手段と、
前記操作受付手段が複数の前記オブジェクトに対する変倍操作を受け付けた場合、複数の前記オブジェクトの構成点の座標をそれぞれ変更する座標変更手段と、
前記座標変更手段により前記構成点の座標が変更された複数の前記オブジェクトを前記表示装置に表示させるオブジェクト表示手段と、
を有する情報処理装置。
【請求項２】
前記座標変更手段は、複数の前記オブジェクトのサイズを変倍すると共に、複数の前記オブジェクトの間隔を変倍することで、複数の前記オブジェクトの間隔を接近又は離間させる請求項１に記載の情報処理装置。
【請求項３】
前記オブジェクトの前記構成点の座標を記憶する座標記憶手段を有し、
前記座標変更手段は、前記座標記憶手段に記憶されている複数の前記オブジェクトの前記構成点の座標を変倍する請求項１又は２に記載の情報処理装置。
【請求項４】
前記操作受付手段が複数の前記オブジェクトに対する縮小操作を受け付けた場合、
前記座標変更手段は、複数の前記オブジェクトを縮小すると共に所定の基点に対し複数の前記オブジェクトを接近させることで、
縮小前の複数の前記オブジェクトを含む範囲と、縮小後の複数の前記オブジェクトを含む範囲の差分として得られる余白を作成する請求項１〜３のいずれか１項に記載の情報処理装置。
【請求項５】
前記操作受付手段が複数の前記オブジェクトに対する拡大操作を受け付けた場合、
前記座標変更手段は、複数の前記オブジェクトを拡大すると共に所定の基点に対し複数の前記オブジェクトを離間させる請求項１〜４のいずれか１項に記載の情報処理装置。
【請求項６】
前記操作受付手段は、前記表示装置に複数の前記オブジェクトが表示されている状態から、１回の操作で複数の前記オブジェクトの指定と変倍操作を受け付ける請求項１〜５いずれか１項に記載の情報処理装置。
【請求項７】
前記操作受付手段が前記オブジェクトの指定を受け付けずに、前記オブジェクトに対する変倍操作を受け付けた場合、
前記座標変更手段は、前記表示装置に表示されている全ての前記オブジェクトの前記構成点の座標を変倍する請求項６に記載の情報処理装置。
【請求項８】
前記表示装置の１画面分の前記オブジェクトを１つのページデータとして保存し、複数の前記ページデータをファイルに管理するオブジェクト管理手段と、
記憶手段に記憶されている前記オブジェクトを、複数の前記ページデータにそれぞれ貼り付ける貼付操作を前記操作受付手段が受け付けた場合、前記ファイル内の全てのページに前記オブジェクトを貼り付ける第一貼付手段と、
を有する請求項１〜７のいずれか１項に記載の情報処理装置。
【請求項９】
前記操作受付手段が前記オブジェクトの指定及び前記オブジェクトをコピーするコピー操作を受け付けた場合、指定された前記オブジェクトを記憶手段にコピーするコピー手段、を有する請求項１〜８のいずれか１項に記載の情報処理装置。
【請求項１０】
前記操作受付手段が前記オブジェクトの指定及び前記オブジェクトを切り取る切り取り操作を受け付けた場合、指定された前記オブジェクトを記憶手段にコピーすると共に、指定された前記オブジェクトを前記表示装置から消去する切取手段、を有する請求項１〜９のいずれか１項に記載の情報処理装置。
【請求項１１】
前記操作受付手段が前記表示装置に前記オブジェクトを貼り付ける貼付操作を受け付けた場合、記憶手段に記憶されている前記オブジェクトを前記表示装置に表示させる第二貼付手段、を有する請求項１〜９のいずれか１項に記載の情報処理装置。
【請求項１２】
前記操作受付手段がコピー操作又は切取操作を受け付けた前記オブジェクトを記憶する記憶手段を有し、
前記操作受付手段は、前記オブジェクトを指定するための枠の外側又は内側のどちらが指示されたか、及び、前記記憶手段に前記オブジェクトが記憶されているか否か、に応じて、コピー操作、切取操作、貼付操作、及び、変倍操作のうち選択可能な操作項目を表示する請求項１〜１１いずれか１項に記載の情報処理装置。
【請求項１３】
表示装置にオブジェクトを表示する情報処理装置が行う画像表示方法であって、
操作受付手段が、前記オブジェクトへの操作を受け付ける操作受付ステップと、
前記操作受付手段が複数の前記オブジェクトに対する変倍操作を受け付けた場合、座標変更手段が、複数の前記オブジェクトの構成点の座標を変更するステップと、
オブジェクト表示手段が、前記座標変更手段により前記構成点の座標が変更された複数の前記オブジェクトを前記表示装置に表示させるステップと、
を有する画像表示方法。
【請求項１４】
表示装置にオブジェクトを表示する情報処理装置を、
前記オブジェクトへの操作を受け付ける操作受付手段と、
前記操作受付手段が複数の前記オブジェクトに対する変倍操作を受け付けた場合、複数の前記オブジェクトの構成点の座標をそれぞれ変更する座標変更手段と、
前記座標変更手段により前記構成点の座標が変更された複数の前記オブジェクトを前記表示装置に表示させるオブジェクト表示手段と、
として機能させるためのプログラム。
【発明の詳細な説明】
【技術分野】
【０００１】
本発明は、情報処理装置、画像表示方法、及びプログラムに関する。
【背景技術】
【０００２】
ディスプレイの表示面に手書きされた手書き情報を取り込みディスプレイに表示する機能を備えた電子黒板が知られている。ユーザが電子黒板の表示面に手書きした内容は座標データとして蓄積され、電子黒板が座標を連結したストロークとしてディスプレイに描画する。したがって、ユーザは従来のホワイトボードと同様に文字や図形などを描画でき、更に手書きした情報を保存したり、ネットワークを介して接続された他の電子黒板に送信したりすることが可能である。【０００３】
ユーザが電子黒板に手書きする際、ユーザはディスプレイのほぼ全体を使用して手書きすることができるが、ディスプレイの広さを超えて手書きすることは困難である。そこで、ディスプレイの広さを効率的に利用することが可能な電子黒板が考えられている（例えば、特許文献１参照。）。特許文献１には、手書き文字の色を選択するためのメニューなどの表示コンテンツを効率的に配置する電子黒板が開示されている。特許文献１の技術によれば、表示コンテンツが適切な空白領域に移動されるので、ユーザが手書きできる余白を増大させることができる。
【先行技術文献】
【特許文献】
【０００４】
【特許文献１】特許第５６２５６１５号公報
【発明の概要】
【発明が解決しようとする課題】
【０００５】
しかしながら、特許文献１では、手書き情報を加工することによるディスプレイの広さの効率的な利用については考慮されていないという問題がある。例えば、ユーザが簡単な操作で手書き情報を縮小できれば、容易に余白を増やすことができる。【０００６】
本発明は、上記課題に鑑み、ディスプレイの広さを効率的に使用することができる情報処理装置を提供することを目的とする。
【課題を解決するための手段】
【０００７】
本発明は、上記課題に鑑み、表示装置にオブジェクトを表示する情報処理装置であって、前記オブジェクトへの操作を受け付ける操作受付手段と、前記操作受付手段が複数の前記オブジェクトに対する変倍操作を受け付けた場合、複数の前記オブジェクトの構成点の座標を変更する座標変更手段と、前記座標変更手段により前記構成点の座標が変更された複数の前記オブジェクトを前記表示装置に表示させるオブジェクト表示手段と、を有する。
【発明の効果】
【０００８】
ディスプレイの広さを効率的に使用することができる情報処理装置を提供することができる。
【図面の簡単な説明】
【０００９】
【図１】本実施形態の画像処理システムの全体構成図の一例である。
【図２】電子黒板のハードウェア構成図の一例である。
【図３】電子黒板の機能ブロック図の一例である。
【図４】ファイル処理部の機能ブロック図の一例である。
【図５】クライアント部とサーバ部の機能ブロック図の一例である。
【図６】ページデータを示す概念図の一例である。
【図７】ストローク配列データを示す概念図の一例である。
【図８】座標配列データを示す概念図の一例である。
【図９】メディアデータを示す概念図の一例である。
【図１０】遠隔ライセンス管理テーブルを示す概念図の一例である。
【図１１】アドレス帳管理テーブルを示す概念図の一例である。
【図１２】バックアップデータを示す概念図の一例である。
【図１３】接続先管理テーブルを示す概念図の一例である。
【図１４】参加拠点管理テーブルを示す概念図の一例である。
【図１５】操作データを示す概念図の一例である。
【図１６】各画像レイヤの重畳関係を模式的に示す図の一例である。
【図１７】各電子黒板の処理を示したシーケンス図の一例である。
【図１８】各電子黒板の処理を示したシーケンス図の一例である。
【図１９】ストローク処理部の機能ブロック図の一例である。
【図２０】ディスプレイに表示された手書きオブジェクトの一例を示す図である。
【図２１】ユーザが選択した状態の手書きオブジェクトの一例を示す図である。
【図２２】表示されたコンテキストメニューの一例を示す図である。
【図２３】貼り付けバッファが空でなく、かつ、枠内で電子ペンが長押しされた場合に表示されるコンテキストメニューの一例を示す図である。
【図２４Ａ】枠外又は枠なしで電子ペンが長押しされた場合に表示されたコンテキストメニューの一例を示す図である。
【図２４Ｂ】枠外又は枠なしで電子ペンが長押しされた場合に表示されたコンテキストメニューの一例を示す図である。
【図２５Ａ】コピーと貼り付けの操作を説明する図の一例である。
【図２５Ｂ】コピーと貼り付けの操作を説明する図の一例である。
【図２６】重畳して貼り付けられた手書きオブジェクトの一例を示す図である。
【図２７Ａ】切り取りの操作を説明する図の一例である。
【図２７Ｂ】切り取りの操作を説明する図の一例である。
【図２８】すべてのページに貼り付けるというコマンドがユーザにより選択された場合の画面の一例を示す図である。
【図２９Ａ】縮小の操作を説明する図の一例である。
【図２９Ｂ】縮小の操作を説明する図の一例である。
【図２９Ｃ】縮小の操作を説明する図の一例である。
【図３０Ａ】拡大の操作を説明する図の一例である。
【図３０Ｂ】拡大の操作を説明する図の一例である。
【図３１】コンテキストメニューのコピーするというコマンドが選択された場合の座標配列データについて説明する図の一例である。
【図３２】コンテキストメニューの縮小するというコマンドが選択された場合の座標配列データについて説明する図の一例である。
【図３３Ａ】ショートカット操作で呼び出されるコンテキストメニューの一例を示す図である。
【図３３Ｂ】ショートカット操作で呼び出されるコンテキストメニューの一例を示す図である。
【発明を実施するための形態】
【００１０】
以下、図面を用いて、本発明の一実施形態を説明する。
【００１１】
＜システムの概要＞
図１は、本実施形態の画像処理システムの全体構成図である。なお、図１では、説明を簡略化するために、２台の電子黒板２ａ，２ｂ及びこれに付随する電子ペン４ａ，４ｂ等を示しているだけであって、３台以上の電子黒板や電子ペン等を利用してもよい。
【００１２】
図１に示されているように、画像処理システム１は、複数の電子黒板２ａ，２ｂ、複数の電子ペン４ａ，４ｂ、ＵＳＢメモリ５ａ，５ｂ、ノートＰＣ(Personal Computer)６ａ，６ｂ、テレビ（ビデオ）会議端末７ａ，７ｂ、及びＰＣ８を有する。また、電子黒板２ａ，２ｂ、及びＰＣ８は、通信ネットワーク９を介して通信可能に接続されている。更に、複数の電子黒板２ａ，２ｂには、それぞれディスプレイ３ａ，３ｂ（液晶、有機ＥＬ、プロジェクタ、プラズマテレビなどの表示装置）が設けられている。
【００１３】
また、電子黒板２ａには、電子ペン４ａによって生じたイベント（ディスプレイ３ａに電子ペン４ａのペン先、又は、電子ペン４ａのペン尻のタッチ）により描画された画像を、ディスプレイ３ａに表示させることができる。なお、電子ペン４ａだけでなく、ユーザの手Ｈａ等によって生じたイベント（拡大、縮小、ページめくり等のジェスチャ）に基づいて、ディスプレイ３ａ上に表示されている画像を変更させることもできる。
【００１４】
また、電子黒板２ａには、ＵＳＢメモリ５ａが接続可能であり、電子黒板２ａはＵＳＢメモリ５ａからＰＤＦ等の電子ファイルを読み出したり、電子黒板２ａはＵＳＢメモリ５ａに電子ファイルを記録したりすることができる。また、電子黒板２ａには、DisplayPort(登録商標)、DVI(Digital Visual Interface)、HDMI(登録商標。High-Definition Multimedia Interface)及びVGA(Video Graphics Array)等の規格による通信が可能なケーブル１０ａ１を介して、ノートＰＣ６ａが接続されている。そして、電子黒板２ａは、ディスプレイ３ａに対する接触によってイベントを発生させ、このイベントを示すイベント情報を、マウスやキーボード等の入力装置からのイベントと同様に、ノートＰＣ６ａに送信する。同じく、電子黒板２ａには、上記規格による通信が可能なケーブル１０ａ２を介して、テレビ（ビデオ）会議端末７ａが接続されている。なお、ノートＰＣ６ａ、及びテレビ会議端末７ａは、Bluetooth（登録商標）等の各種無線通信プロトコルに準拠した無線通信により、電子黒板２ａと通信してもよい。
【００１５】
一方、電子黒板２ｂが設置されている他の拠点では、上記と同様に、ディスプレイ３ｂを備えた電子黒板２ｂ、電子ペン４ｂ、ＵＳＢメモリ５ｂ、ノートＰＣ６ｂ、テレビ会議端末７ｂ、ケーブル１０ｂ１、ケーブル１０ｂ２が利用される。更に、ユーザの手Ｈｂ等によって生じたイベントに基づいて、ディスプレイ３ｂ上に表示されている画像を変更させることもできる。
【００１６】
これにより、一の拠点で電子黒板２ａのディスプレイ３ａ上に描画された画像は、他の拠点で電子黒板２ｂのディスプレイ３ｂ上にも表示され、逆に他の拠点で電子黒板２ｂのディスプレイ３ｂ上に描画された画像は、一の拠点で電子黒板２ａのディスプレイ３ａ上に表示される。このように、画像処理システム１では、遠隔地において同じ画像を共有する遠隔共有処理を行うことができるため、遠隔地での会議等に用いると、非常に便利である。
【００１７】
なお、以下では、複数の電子黒板のうち任意の電子黒板を示す場合には「電子黒板２」と示す。複数のディスプレイのうち任意のディスプレイを示す場合には「ディスプレイ３」と示す。複数の電子ペンのうち任意の電子ペンを示す場合には「電子ペン４」と示す。複数のＵＳＢメモリのうち任意のＵＳＢメモリを示す場合には「ＵＳＢメモリ５」と示す。複数のノートＰＣのうち任意のノートＰＣを示す場合には「ノートＰＣ６」と示す。複数のテレビ会議端末のうち任意のテレビ会議端末を示す場合には「テレビ会議端末７」と示す。また、複数のユーザの手のうち任意の手を示す場合には「手Ｈ」と示す。複数のケーブルのうち任意のケーブルを示す場合には「ケーブル１０」と示す。
【００１８】
また、本実施形態では、画像処理装置の一例として、電子黒板を説明するが、これに限るものではなく、画像処理装置の他の例として、電子看板（デジタルサイネージ）、スポーツや天気予報等で利用されるテレストレータ、又は、遠隔画像（映像）診断装置等であってもよい。また、情報処理端末の一例として、ノートＰＣ６を説明するが、これに限るものではなく、情報処理端末の他の例として、デスクトップ型ＰＣやタブレット型ＰＣ、ＰＤＡ、デジタルビデオカメラ、デジタルカメラ、ゲーム機等の画像フレームを供給可能な端末であってもよい。更に、通信ネットワークには、インターネット、ＬＡＮ(Local Area Network)、携帯電話通信網等が含まれる。また、本実施形態では、記録媒体の一例として、ＵＳＢメモリを説明するが、これに限るものではなく、記録媒体の他の例として、ＳＤカード等の各種記録メディアであってもよい。
【００１９】
＜電子黒板のハードウェア構成＞
続いて、図２を用いて、本実施形態の電子黒板のハードウェア構成を説明する。なお、図２は、電子黒板のハードウェア構成図である。
【００２０】
図２に示されているように、電子黒板２は、電子黒板２全体の動作を制御するＣＰＵ１０１、ＩＰＬ等のＣＰＵ１０１の駆動に用いられるプログラムを記憶したＲＯＭ１０２、ＣＰＵ１０１のワークエリアとして使用されるＲＡＭ１０３、電子黒板２用のプログラム等の各種データを記憶するＳＳＤ１０４、通信ネットワーク９との通信を制御するネットワークコントローラ１０５、及び、ＵＳＢメモリ５との通信を制御する外部記憶コントローラ１０６を備えている。したがって、電子黒板２は情報処理装置としての構成を有する。
【００２１】
また、電子黒板２は、ノートＰＣ６のディスプレイに対して映像情報を静止画又は動画として表示させるキャプチャデバイス１１１、グラフィクスを専門に扱うＧＰＵ(Graphics Processing Unit)１１２、及び、ＧＰＵからの出力画像をディスプレイ３やテレビ会議端末７へ出力するために画面表示の制御及び管理を行うディスプレイコントローラ１１３を備えている。
【００２２】
更に、電子黒板２は、接触センサ１１５の処理を制御するセンサコントローラ１１４、ディスプレイ３の表示面に電子ペン４やユーザの手Ｈ等が接触したことを検知する接触センサ１１５を備えている。この接触センサ１１５は、赤外線遮断方式による座標の入力及び座標の検出を行う。この座標の入力及び座標の検出する方法は、ディスプレイ３の上側両端部に設置された２つの受発光装置が、ディスプレイ３に平行な複数の赤外線を放射する。ディスプレイ３の周囲に設けられた反射部材によって反射された赤外線は、放射した光の光路と同一の光路上を戻って来るので、受光素子がそれを受光する。接触センサ１１５は、物体によって遮断された２つの受発光装置が放射した赤外線のＩＤ(Identification)をセンサコントローラ１１４に出力し、センサコントローラ１１４が、物体の接触位置である座標位置を特定する。なお、以下に示す全ての各ＩＤは、識別情報の一例である。
【００２３】
また、接触センサ１１５としては、赤外線遮断方式に限らず、静電容量の変化を検知することにより接触位置を特定する静電容量方式のタッチパネル、対向する２つの抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。
【００２４】
また、電子黒板２は、電子ペンコントローラ１１６を備えている。この電子ペンコントローラ１１６は、電子ペン４と通信することで、ディスプレイ３へのペン先のタッチやペン尻のタッチの有無を判定する。なお、電子ペンコントローラ１１６が、電子ペン４のペン先及びペン尻だけでなく、電子ペン４のユーザが握る部分や、その他の電子ペンの部分のタッチの有無を判定するようにしてもよい。
【００２５】
更に、電子黒板２は、ＣＰＵ１０１、ＲＯＭ１０２、ＲＡＭ１０３、ＳＳＤ１０４、ネットワークコントローラ１０５、外部記憶コントローラ１０６、キャプチャデバイス１１１、ＧＰＵ１１２、センサコントローラ１１４、及び電子ペンコントローラ１１６を、図２に示されているように電気的に接続するためのアドレスバスやデータバス等のバスライン１２０を備えている。
【００２６】
なお、電子黒板２用のプログラムは、ＣＤ−ＲＯＭ等のコンピュータで読み取り可能な記録媒体に記録して流通させるようにしてもよい。
【００２７】
＜電子黒板の機能構成＞
続いて、図３乃至図１６を用いて、電子黒板の機能構成について説明する。まず、図３を用いて、電子黒板２の全体的な機能構成について説明する。図３は、電子黒板２の機能ブロック図である。
【００２８】
電子黒板２は、図２に示されているハードウェア構成及びプログラムによって、図３に示されている各機能構成を有する。電子黒板２は、最初に遠隔共有処理を開始する「主催装置」となり得ると共に、既に開始されている遠隔共有処理に後から参加する「参加装置」にもなり得る。また、電子黒板２は、大きく分けて、クライアント部２０及びサーバ部９０を有している。クライアント部２０及びサーバ部９０は、電子黒板２の１台の筐体内で実現される機能である。そして、電子黒板２が主催装置となる場合には、この電子黒板２では、クライアント部２０とサーバ部９０が実現される。また、電子黒板２が参加装置となる場合には、この電子黒板２では、クライアント部２０は実現されるが、サーバ部９０は実現されない。すなわち、図１において、電子黒板２ａが主催装置で、電子黒板２ｂが参加装置となる場合、電子黒板２ａのクライアント部２０は、同じ電子黒板２ａ内に実現されたサーバ部９０を介して、他の電子黒板２ｂのクライアント部２０と通信を行う。一方、電子黒板２ｂのクライアント部２０は、他の電子黒板２ａ内に実現されたサーバ部９０を介して、他の電子黒板２ａのクライアント部と通信を行う。
【００２９】
〔クライアント部２０の機能構成〕
続いて、主に図３乃至図５を用いて、クライアント部２０の機能構成について説明する。クライアント部２０は、映像取得部２１、座標検知部２２、自動調整部２３、接触検知部２４、イベント振分部２５、操作処理部２６、ジェスチャ処理部２７、映像重畳部２８、画像処理部３０、及び通信制御部６０を有する。
【００３０】
このうち、映像取得部２１は、ケーブル１０に接続されたノートＰＣ６等の映像出力機器の出力映像を取得する。映像取得部２１は、映像出力機器から画像信号を受信すると、この画像信号を解析して、この画像信号によって形成される映像出力機器の表示画像である画像フレームの解像度や、この画像フレームの更新頻度などの画像情報を導出し、画像取得部３１に出力する。
【００３１】
座標検知部２２は、ディスプレイ３上でユーザによって生じたイベント（ディスプレイ３上にユーザの手Ｈがタッチされた動作等）の座標位置を検出する。また、座標検知部２２は、タッチされた面積も検出する。
【００３２】
自動調整部２３は、電子黒板２の起動時に起動され、接触センサ１１５が座標検知部２２に適切な値を出力できるように、接触センサ１１５の光センサ方式におけるセンサーカメラの画像処理のパラメータを調整する。
【００３３】
接触検知部２４は、ユーザが電子ペン４を操作することで生じたイベント（ディスプレイ３上に電子ペン４のペン先又は電子ペン４のペン尻が押下（タッチ）された動作等）を検出する。
【００３４】
イベント振分部２５は、座標検知部２２によって検知されたイベントの座標位置と接触検知部２４によって検出された検出結果を、ストローク描画、ＵＩ操作、及びジェスチャ操作の各イベントに振り分ける。
【００３５】
ここで、「ストローク描画」は、図１６に示されている後述のストローク画像（Ｂ）がディスプレイ３に表示されている場合に、ユーザがディスプレイ３上で電子ペン４を押下し、この押下した状態で電子ペン４を移動させ、最終的にディスプレイ３上から電子ペン４を離すまでのイベントである。このストローク描画により、例えば、アルファベット「Ｓ」や「Ｔ」等がディスプレイ３上に描画される。なお、この「ストローク描画」には、画像を描画するだけでなく、既に描画された画像を削除したり、描画された画像を編集したりするイベントも含まれる。
【００３６】
「ＵＩ操作」は、図１６に示されている後述のＵＩ画像（Ａ）がディスプレイ３に表示されている場合に、ユーザが電子ペン４又は手Ｈによって所定の位置を押下したイベントである。このＵＩ操作により、例えば、電子ペン４により描画される線の色や幅等が設定される。
【００３７】
「ジェスチャ操作」は、図１６に示されている後述のストローク画像（Ｂ）がディスプレイ３に表示されている場合に、ユーザが手Ｈでディスプレイ３上をタッチしたり移動させたりするイベントである。このジェスチャ操作により、例えば、ユーザがディスプレイ３に手Ｈをタッチさせた状態で手Ｈを移動させることで、画像の拡大（若しくは縮小）、表示領域の変更、又は、ページ切り換え等を行うことができる。
【００３８】
操作処理部２６は、イベント振分部２５によってＵＩ操作と判定されたものから、イベントが発生されたＵＩの要素にしたがって、各種操作を実行する。このＵＩの要素としては、例えば、ボタン、リスト、チェックボックス、テキストボックスが挙げられる。
【００３９】
ジェスチャ処理部２７は、イベント振分部２５によってジェスチャ操作と判定されたものに対応した操作を実行する。
【００４０】
映像重畳部２８は、後述の表示重畳部３６で重畳された画像を映像として映像出力機器（ディスプレイ３等）に対して表示する。また、映像重畳部２８は、映像出力機器（ノートＰＣ６等）からの映像に対して、他の映像出力機器（テレビ会議端末７等）から送られて来た映像をピクチャ・イン・ピクチャする。更に、映像重畳部２８は、ピクチャ・イン・ピクチャされてディスプレイ３の一部に表示された映像を、ディスプレイ３の全体に表示させるための切り替えを行う。
【００４１】
画像処理部３０は、図１６に示されているような各画像レイヤの重畳処理等を行う。この画像処理部３０は、画像取得部３１、ストローク処理部３２、ＵＩ画像生成部３３、背景生成部３４、レイアウト管理部３５、表示重畳部３６、ページ処理部３７、ファイル処理部４０、ページデータ記憶部３００、及び遠隔ライセンス管理テーブル３１０を有している。
【００４２】
このうち、画像取得部３１は、映像取得部２１で取得された映像から、各フレームを画像として取得する。画像取得部３１は、この画像のデータを、ページ処理部３７に出力する。この画像は、図１６に示されている映像出力機器（ノートＰＣ６等）からの出力画像（Ｃ）に相当する。
【００４３】
ストローク処理部３２は、イベント振分部２５によって割り振られたストローク描画に係るイベントに基づいて、手Ｈや電子ペン４などの接触位置を連結してストローク画像を描画したり、描画された画像を削除したり、描画された画像を編集する。このストローク描画による画像は、図１６に示されているストローク画像（Ｂ）に相当する。また、このストローク描画に基づいた画像の描画、削除、編集の各結果は、後述の操作データとして、後述の操作データ記憶部８４０に記憶される。
【００４４】
ＵＩ画像生成部３３は、電子黒板２に予め設定されているＵＩ（ユーザインターフェース）画像を生成する。このＵＩ画像は、図１６に示されているＵＩ画像（Ａ）に相当する。
【００４５】
背景生成部３４は、ページ処理部３７がページデータ記憶部３００から読み出したページデータのうちのメディアデータを、ページ処理部３７から受信する。背景生成部３４は、この受信したメディアデータを表示重畳部３６に出力する。また、このメディアデータによる画像は、図１６に示されている背景画像（Ｄ）に相当する。背景画像（Ｄ）のパターンは、無地、グリッド表示等である。
【００４６】
レイアウト管理部３５は、表示重畳部３６に対して、画像取得部３１、ストローク処理部３２、及びＵＩ画像生成部３３（又は背景生成部３４）から出力された各画像のレイアウトを示すレイアウト情報を管理している。これにより、レイアウト管理部３５は、表示重畳部３６に対して、出力画像（Ｃ）及びストローク画像（Ｂ）を、ＵＩ画像（Ａ）及び背景画像（Ｄ）中のどの位置に表示させるか又は非表示にさせるかを指示することができる。
【００４７】
表示重畳部３６は、レイアウト管理部３５から出力されたレイアウト情報に基づき、画像取得部３１、ストローク処理部３２、及びＵＩ画像生成部３３（背景生成部３４）から出力された各画像のレイアウトを行う。
【００４８】
ページ処理部３７は、ストローク画像（Ｂ）のデータと出力画像（Ｃ）のデータを、１つのページデータにまとめてページデータ記憶部３００に記憶する。ストローク画像（Ｂ）のデータは、図６に示されているストローク配列データＩＤで示されるストローク配列データ（各ストロークデータ）として、ページデータの一部を成す。出力画像（Ｃ）のデータは、図６に示されているメディアデータＩＤで示されているメディアデータとして、ページデータの一部を成す。そして、このメディアデータは、ページデータ記憶部３００から読み出されると、背景画像（Ｄ）のデータとして取り扱われる。
【００４９】
また、ページ処理部３７は、一旦、記憶されたページデータのうちのメディアデータを、背景生成部３４を介して表示重畳部３６に送信することで、映像重畳部２８が背景画像（Ｄ）をディスプレイ３に再表示させることができる。また、ページ処理部３７は、ページデータのうちのストローク配列データ（各ストロークデータ）を、ストローク処理部３２に戻すことで、ストロークの再編集ができる状態にすることができる。更に、ページ処理部３７は、ページデータを削除したり複製したりすることもできる。
【００５０】
すなわち、ページ処理部３７がページデータ記憶部３００にページデータを記憶する時点でディスプレイ３上に表示されている出力画像（Ｃ）のデータは、一旦、ページデータ記憶部３００に記憶され、その後にページデータ記憶部３００から読み出される際には、背景画像（Ｄ）を示すメディアデータとして読みされる。そして、ページ処理部３７は、ページデータ記憶部３００から読み出したページデータのうち、ストローク画像（Ｂ）を示すストローク配列データを、ストローク処理部３２に出力する。また、ページ処理部３７は、ページデータ記憶部３００から読み出したページデータのうち、背景画像（Ｄ）を示すメディアデータを、背景生成部３４に出力する。
【００５１】
表示重畳部３６は、画像取得部３１からの出力画像（Ｃ）、ストローク処理部３２からのストローク画像（Ｂ）、ＵＩ画像生成部３３からのＵＩ画像（Ａ）、及び、背景生成部３４からの背景画像（Ｄ）を、レイアウト管理部３５によって指定されたレイアウトにしたがって重畳する。これにより、図１６に示されているように、各画像が重なってもユーザが見える順に、ＵＩ画像（Ａ）、ストローク画像（Ｂ）、出力画像（Ｃ）、及び背景画像（Ｄ）の各レイアの構成となっている。
【００５２】
また、表示重畳部３６は、図１６に示されている画像（Ｃ）と画像（Ｄ）を切り替えて、画像（Ａ）及び画像（Ｂ）に対して排他的に重畳することも可能である。例えば、当初、画像（Ａ）、画像（Ｂ）及び画像（Ｃ）が表示されている状態で、電子黒板２と映像出力機器（ノートＰＣ６等）との間のケーブル１０が抜かれた場合には、レイアウト管理部３５の指定によって、画像（Ｃ）を重畳対象から外し、画像（Ｄ）を表示させることができる。この場合に、また、表示重畳部３６は、表示の拡大、表示の縮小、表示領域の移動処理も行う。
【００５３】
遠隔ライセンス管理テーブル３１０は、遠隔共有処理を実行するために必要なライセンスデータを管理する。この遠隔ライセンス管理テーブル３１０では、図１０に示されているように、電子黒板２のプロダクトＩＤ、認証に用いられるライセンスＩＤ、及びライセンスの有効期限が関連付けて管理されている。
【００５４】
<<ページデータ>>
ページデータ記憶部３００は、図６に示されているようなページデータを記憶する。図６は、ページデータを示す概念図である。ページデータは、ディスプレイ３に表示される１ページ分のデータ（ストローク配列データ（各ストロークデータ）及びメディアデータ）である。なお、ページデータに含まれるパラメータの種類が多いため、ここでは、図６乃至９に分けて、ページデータの内容を説明する。
【００５５】
ページデータは、図６に示されているように、任意の１ページを識別するためのページデータＩＤ、このページの表示を開始した時刻を示す開示時刻、ストロークやジェスチャ等によるページの内容の書き換えが行われなくなった時刻を示す終了時刻、電子ペン４やユーザの手Ｈによるストロークによって生じたストローク配列データを識別するためのストローク配列データＩＤ、及びメディアデータを識別するためのメディアデータＩＤが関連付けて記憶されている。なお、ページデータはファイル単位で管理されている。ストローク配列データは、後述の図１６に示されているストローク画像（Ｂ）がディスプレイ３上に表示されるためのデータである。メディアデータは、後述の図１６に示されている背景画像（Ｄ）がディスプレイ３上に表示されるためのデータである。
【００５６】
このようなページデータにより、例えば、ユーザが電子ペン４によってアルファベット「Ｓ」を描く場合は一筆書きとなるため、ストロークデータＩＤが１つで一文字のアルファベット［Ｓ］が示される。ところが、ユーザが電子ペン４によってアルファベット「Ｔ」を描く場合、二筆書きとなるため、ストロークデータＩＤが２つで一文字のアルファベット「Ｔ」が示されることになる。
【００５７】
また、ストローク配列データは、図７に示されているように詳細な情報を示している。図７は、ストローク配列データを示す概念図である。図７に示されているように、１つのストローク配列データは、複数のストロークデータによって表される。そして、１つのストロークデータは、このストロークデータを識別するためのストロークデータＩＤ、１つのストロークの書き始めの時刻を示す開始時刻、１つのストロークの書き終わりの時刻を示す終了時刻、ストロークの色、ストロークの幅、及び、ストロークの通過点の配列を識別するための座標配列データＩＤを示している。
【００５８】
更に、この座標配列データは、図８に示されているように詳細な情報を示している。図８は、座標配列データを示す概念図である。図８に示されているように、座標配列データは、ディスプレイ３上の１点（Ｘ座標値、Ｙ座標値）、この１点を通過したときのストロークの開示時刻からの差分の時刻（ｍｓ）、及び、この１点における電子ペン４の筆圧の各情報を示している。即ち、図８に示されている１点の集まりが、図７に示されている１つの座標配列データＩＤで示されている。例えば、ユーザが電子ペン４によってアルファベット「Ｓ」を描く場合、一筆書きとなるが、「Ｓ」を描き終えるまでに、複数の通過点を通過するため、座標配列データは、これら複数の通過点の情報を示している。
【００５９】
また、図６に示されているページデータのうちのメディアデータは、図９に示されているように詳細な情報を示している。図９は、メディアデータを示す概念図である。図９に示されているように、メディアデータは、図６に示されているページデータにおけるメディアデータＩＤ、メディアデータのデータ種類、ページ処理部３７からページデータ記憶部３００にページデータが記憶された記録時刻、ページデータによってディスプレイ３上に表示される画像の位置（Ｘ座標値、Ｙ座標値）及び画像のサイズ（幅、高さ）、並びにメディアデータの内容を示すデータが関連付けられて示されている。このうち、ページデータによってディスプレイ３上に表示される画像の位置は、ディスプレイ３の左上端の座標を（Ｘ座標値，Ｙ座標値）＝（０，０）とした場合に、ページデータによって表示される画像の左上端の位置を示している。
【００６０】
（ファイル処理部４０の機能構成）
続いて、図４を用いて、図３に示されているファイル処理部４０の機能構成を説明する。なお、図４は、ファイル処理部４０の機能ブロック図である。ファイル処理部４０は、リカバリ処理部４１、ファイル入力部４２ａ、ファイル出力部４２ｂ、ファイル変換部４３、ファイル送信部４４、アドレス帳入力部４５、バックアップ処理部４６、バックアップ出力部４７、設定管理部４８、設定ファイル入力部４９ａ、及び設定ファイル出力部４９ｂを有している。更に、ファイル処理部４０は、アドレス帳管理テーブル４１０、バックアップデータ記憶部４２０、設定ファイル記憶部４３０、及び接続先管理テーブル４４０を有している。
【００６１】
このうち、リカバリ処理部４１は、電子黒板２が異常終了した後に、異常終了を検知し、未保存のページデータを復旧する。例えば、正常終了の場合は、ページデータがＰＤＦファイルとしてファイル処理部４０を介してＵＳＢメモリ５に記録されるが、電源がダウンした等の異常終了の場合は、ページデータがページデータ記憶部３００に記録されたままになっている。そのため、再び、電源オンになった際に、リカバリ処理部４１は、ページデータ記憶部３００からページデータを読み出すことで復旧させる。
【００６２】
ファイル入力部４２ａは、ＵＳＢメモリ５から、ＰＤＦファイルを読み込み、各ページをページデータとしてページデータ記憶部３００に記憶する。
【００６３】
ファイル変換部４３は、ページデータ記憶部３００に記憶されているページデータを、ＰＤＦ形式のファイルに変換する。
【００６４】
ファイル出力部４２ｂは、ファイル変換部４３によって出力されたＰＤＦファイルをＵＳＢメモリ５に記録する。
【００６５】
ファイル送信部４４は、ファイル変換部４３によって生成されたＰＤＦファイルを、電子メールに添付して送信する。このファイルの送信先は、表示重畳部３６によってディスプレイ３上にアドレス帳管理テーブル４１０の内容を表示し、ファイル送信部４４がユーザによるタッチパネル等の入力装置の操作により、宛先の選択を受け付けることによって決定される。アドレス帳管理テーブル４１０には、図１１に示されているように、宛先の名前及び宛先の電子メールのメールアドレスが関連付けて管理されている。また、ファイル送信部４４が、ユーザによるタッチパネル等の入力装置の操作により、宛先としてのメールアドレスの入力を受け付けることもできる。
【００６６】
アドレス帳入力部４５は、ＵＳＢメモリ５から電子メールアドレスの一覧ファイルを読み込み、アドレス帳管理テーブル４１０に管理する。
【００６７】
バックアップ処理部４６は、ファイル出力部４２ｂによって出力されたファイルや、ファイル送信部４４によって送信されたファイルを、バックアップデータ記憶部４２０に記憶することでバックアップする。なお、ユーザがバックアップ設定しない場合は、バックアップの処理は行われない。バックアップデータは、図１２に示されているように、ＰＤＦ形式で記憶される。
【００６８】
バックアップ出力部４７は、バックアップされたファイルをＵＳＢメモリ５に記憶する。この記憶の際には、ユーザによるタッチパネル等の入力装置の操作により、セキュリティーのためにパスワードが入力される。
【００６９】
設定管理部４８は、電子黒板２の各種設定情報を設定ファイル記憶部４３０に記憶したり読み出したりして管理する。この各種設定情報としては、例えば、ネットワーク設定、日付や時刻の設定、地域や言語の設定、メールサーバの設定、アドレス帳の設定、接続先リストの設定、バックアップに関する設定が挙げられる。なお、ネットワーク設定は、例えば、電子黒板２のＩＰアドレスの設定、ネットマスクの設定、デフォルトゲートウェイの設定、又はＤＮＳ(Domain Name System)の設定等である。
【００７０】
設定ファイル出力部４９ｂは、電子黒板２の各種設定情報を、設定ファイルとしてＵＳＢメモリ５に記録させる。なお、設定ファイルはセキュリティーによって、ユーザは中身を見ることができない。
【００７１】
設定ファイル入力部４９ａは、ＵＳＢメモリ５に記憶されている設定ファイルを読み込み、各種設定情報を電子黒板の各種設定に反映させる。
【００７２】
接続先入力部５０は、ＵＳＢメモリ５から遠隔共有処理の接続先ＩＰアドレスの一覧ファイルを読み込み、接続先管理テーブル４４０に管理する。なお、図１３に示されているように、接続先管理テーブル４４０は、電子黒板２が遠隔共有処理に参加しようとする参加装置である場合、この参加装置のユーザが主催装置としての役割を果たす電子黒板のＩＰアドレスを入力する手間を削減するために、予め管理しておくためのテーブルである。この接続先管理テーブル４４０では、参加されることが可能な主催装置としての電子黒板２が設置されている拠点の名称、及び主催装置としての電子黒板２のＩＰアドレスが関連付けて管理されている。
【００７３】
なお、接続先管理テーブル４４０は、無くてもよい。但し、この場合には、参加装置のユーザは、主催装置との間で遠隔要求処理を開始するために、タッチパネル等の入力装置によって、主催装置のＩＰアドレスを入力する必要がある。そのため、参加装置のユーザは、電話や電子メール等によって、主催装置のユーザから、主催装置のＩＰアドレスを知得する。
【００７４】
（通信制御部６０の機能構成）
次に、図５を用いて、通信制御部６０の機能構成について説明する。通信制御部６０は、通信ネットワーク９を介して、他の電子黒板２と行う通信や、サーバ部９０における後述の通信制御部７０と行う通信を制御する。そのため、通信制御部６０は、遠隔開始処理部６１、遠隔参加処理部６２、遠隔画像送信部６３、遠隔画像受信部６４、遠隔操作送信部６５、遠隔操作受信部６６、及び参加拠点管理テーブル６１０を有している。
【００７５】
このうち、遠隔開始処理部６１は、同じ電子黒板２のサーバ部９０に対して、新たに遠隔共有処理を開始する要求を行い、サーバ部９０から要求の結果を受信する。この場合、遠隔開始処理部６１は、遠隔ライセンス管理テーブル３１０を参照し、ライセンス情報（プロダクトＩＤ、ライセンスＩＤ、及び有効期限）が管理されている場合には、遠隔共有処理を開始する要求を行うことができる。但し、ライセンス情報が管理されていない場合には遠隔共有処理を開始する要求を行うことができない。
【００７６】
参加拠点管理テーブル６１０は、電子黒板が主催装置である場合、現在、遠隔共有処理に参加している参加装置としての電子黒板を管理するテーブルである。この参加拠点管理テーブル６１０では、図１４に示されているように、参加中の電子黒板２が設置されている拠点の名称及び当該電子黒板２のＩＰアドレスが関連付けて管理されている。
【００７７】
遠隔参加処理部６２は、通信ネットワーク９を介して、既に遠隔共有処理を開始している主催装置としての電子黒板２のサーバ部９０における遠隔接続要求受信部７１に対して、遠隔共有処理への参加要求を行う。この場合も、遠隔参加処理部６２は、遠隔ライセンス管理テーブル３１０を参照する。また、遠隔参加処理部６２が、既に開始されている遠隔共有処理に参加する場合には、接続先管理テーブル４４０を参照して、参加先の電子黒板２のＩＰアドレスを取得する。なお、遠隔参加処理部６２によって接続先管理テーブルが参照されず、ユーザによるタッチパネル等の入力装置の操作により参加先の電子黒板２のＩＰアドレスが入力されてもよい。
【００７８】
遠隔画像送信部６３は、映像取得部２１から画像取得部３１を介して送られて来た出力画像（Ｃ）を、サーバ部９０に送信する。
【００７９】
遠隔画像受信部６４は、サーバ部９０から、他の電子黒板２に接続された映像出力機器からの画像データを受信し、表示重畳部３６に出力することで、遠隔共有処理を可能にする。
【００８０】
遠隔操作送信部６５は、遠隔共有処理に必要な各種操作データをサーバ部９０に送信する。この各種操作データとしては、例えば、ストロークの追加、ストロークの削除、ストロークの編集（拡大、縮小、移動）、ページデータの記憶、ページデータの作成、ページデータの複製、ページデータの削除、表示されているページの切り替え等に関するデータが挙げられる。また、遠隔操作受信部６６は、サーバ部９０から、他の電子黒板２で入力された操作データを受信し、画像処理部３０に出力することで、遠隔共有処理を行う。
【００８１】
〔サーバ部の機能構成〕
続いて、図５を用いて、サーバ部９０の機能構成について説明する。サーバ部９０は、各電子黒板２に設けられており、いずれの電子黒板２であっても、サーバ部９０としての役割を果たすことができる。そのため、サーバ部９０は、通信制御部７０、及びデータ管理部８０を有している。
【００８２】
（通信制御部７０の機能構成）
次に、図５を用いて、通信制御部７０の機能構成について説明する。
【００８３】
通信制御部７０は、同じ電子黒板２内のクライアント部２０における通信制御部６０、及び通信ネットワーク９を介して他の電子黒板２内のクライアント部２０における通信制御部６０との通信を制御する。データ管理部８０は、操作データや画像データ等を管理する。
【００８４】
更に詳細に説明すると、通信制御部７０は、遠隔接続要求受信部７１、遠隔接続結果送信部７２、遠隔画像受信部７３、遠隔画像送信部７４、遠隔操作受信部７５、及び遠隔操作送信部７６を有している。
【００８５】
このうち、遠隔接続要求受信部７１は、遠隔開始処理部６１からの遠隔共有処理の開始要求を受信したり、通信ネットワーク９を介して他の電子黒板２の遠隔参加処理部６２からの遠隔共有処理に対する参加要求を受信したりする。遠隔接続結果送信部７２は、遠隔開始処理部６１へ遠隔共有処理の開始要求の結果を送信したり、通信ネットワーク９を介して他の電子黒板２の遠隔参加処理部６２へ遠隔共有処理に対する参加要求の結果を送信したりする。
【００８６】
遠隔画像受信部７３は、遠隔画像送信部６３からの画像データ（出力画像（Ｃ）のデータ）を受信し、後述の遠隔画像処理部８２に送信する。遠隔画像送信部７４は、遠隔画像処理部８２から画像データを受信し、遠隔画像受信部６４に対して、この画像データを送信する。
【００８７】
遠隔操作受信部７５は、遠隔操作送信部６５からの操作データ（ストローク画像（Ｂ）等のデータ）を受信し、後述の遠隔操作処理部８３に送信する。遠隔操作送信部７６は、遠隔操作処理部８３から操作データを受信し、遠隔操作受信部６６に対して、この操作データを送信する。
【００８８】
（データ管理部の機能構成）
次に、図５を用いて、データ管理部８０の機能構成について説明する。
【００８９】
データ管理部８０は、遠隔接続処理部８１、遠隔画像処理部８２、遠隔操作処理部８３、操作合成処理部８４、及びページ処理部８５を有している。更に、サーバ部９０は、パスコード管理部８１０、参加拠点管理テーブル８２０、画像データ記憶部８３０、操作データ記憶部８４０、及びページデータ記憶部８５０を有している。
【００９０】
このうち、遠隔接続処理部８１は、遠隔共有処理の開始、及び遠隔共有処理の終了を行う。また、遠隔接続処理部８１は、遠隔接続要求受信部７１が、遠隔開始処理部６１から遠隔共有処理の開始要求と共に受信したライセンス情報、又は、遠隔参加処理部６２から遠隔共有処理の参加要求と共に受信したライセンス情報に基づいて、ライセンスの有無やライセンスの期間内であるかを確認する。更に、遠隔接続処理部８１は、クライアント部２０としての他の電子黒板２からの参加要求が予め定められた参加可能数を超えていないかを確認する。
【００９１】
更に、遠隔接続処理部８１は、他の電子黒板２から遠隔共有処理に対する参加要求があった際に送られて来たパスコードが、パスコード管理部８１０で管理されているパスコードと同じであるか否かを判定し、同じである場合には、遠隔共有処理の参加を許可する。なお、このパスコードは、新たに遠隔共有処理を開始する際に、遠隔接続処理部８１によって発行され、遠隔共有処理に参加しようとする参加装置としての電子黒板２のユーザが、主催装置としての電子黒板２のユーザから、電話や電子メール等により伝えられる。これにより、遠隔共有処理に参加しようとする参加装置のユーザが、タッチパネル等の入力装置によって参加装置にパスコードを入力して参加要求することで、参加が許可されることになる。なお、セキュリティーよりもユーザの使い勝手を優先して、ライセンス状況の確認だけで、パスコードの確認を省略してもよい。
【００９２】
また、電子黒板２が主催装置の場合、遠隔接続処理部８１は、参加装置の遠隔参加処理部６２から通信ネットワーク９を介して送られて来た参加要求に含まれる参加拠点情報を、サーバ部９０の参加拠点管理テーブル８２０に記憶する。そして、遠隔接続処理部８１は、参加拠点管理テーブル８２０に記憶されている遠隔拠点情報を読み出し、遠隔接続結果送信部７２に送信する。遠隔接続結果送信部７２は、同じ主催装置のクライアント部２０における遠隔開始処理部６１に遠隔拠点情報を送信する。遠隔開始処理部６１は、参加拠点管理テーブルに６１０に、遠隔拠点情報を記憶する。これにより、主催装置では、クライアント部２０及びサーバ部９０の両方で、遠隔拠点情報を管理することになる。
【００９３】
遠隔画像処理部８２は、遠隔共有処理中の各電子黒板２のクライアント部（主催装置である自己の電子黒板のクライアント部を含む）に接続された映像出力機器（ノートＰＣ６等）からの画像データ（出力画像（Ｃ））を受信して画像データ記憶部８３０に記憶すると共に、主催装置である自己の電子黒板２のサーバ部９０に届いた時間順で遠隔共有処理すべき画像データの表示順を判定する。また、遠隔画像処理部８２は、参加拠点管理テーブル８２０を参照し、遠隔共有処理に参加中の全ての電子黒板２のクライアント部２０（主催装置である自己の電子黒板のクライアント部を含む）に、通信制御部７０（遠隔画像送信部７４）を介して、上記判定した順番で画像データを送信する。
【００９４】
遠隔操作処理部８３は、遠隔共有処理中の各電子黒板２のクライアント部（主催装置である自己の電子黒板のクライアント部を含む）で描画されたストローク画像等の各種操作データ（ストローク画像（Ｂ）等）を受信し、主催装置である自己の電子黒板２のサーバ部９０に届いた時間順で遠隔共有処理すべき画像の表示順を判定する。なお、各種操作データは、上記の各種操作データと同じである。また、遠隔操作処理部８３は、参加拠点管理テーブル８２０を参照し、遠隔共有処理中の全ての電子黒板２のクライアント部２０（主催装置である自己の電子黒板のクライアント部を含む）に操作データを送信する。
【００９５】
操作合成処理部８４は、遠隔操作処理部８３から出力された各電子黒板２の操作データを合成し、この合成結果としての操作データを、操作データ記憶部８４０に記憶すると共に遠隔操作処理部８３に戻す。この操作データは、遠隔操作送信部７６から、主催装置である電子黒板のクライアント部、及び参加装置である電子黒板のクライアント部のそれぞれに送信されることで、各電子黒板２で同じ操作データに係る画像が表示される。そのために、操作データは、図１５に示されているように、SEQ(Sequence)、操作データの操作名、操作データの送信元である電子黒板２のＩＰアドレス及びクライアント部（サーバ部）のPort No.、操作データの送信先である電子黒板２のＩＰアドレス及びクライアント部（サーバ部）のPort No,、操作データの操作種類、操作データの操作対象、並びに操作データの内容を示すデータが関連付けられて示されている。例えば、SEQ1では、主催装置である電子黒板（ＩＰアドレス：192.0.0.1）のクライアント部（Port No.:50001）でストロークが描画されると、同じ主催装置である電子黒板（ＩＰアドレス：192.0.0.1）のサーバ部（Port No.:50000）に操作データが送られたことが示されている。この場合の操作種類は「STROKE」、操作対象はページデータＩＤ「p005」、及び、操作データの内容を示すデータはストロークを示すデータである。また、SEQ2では、主催装置である電子黒板（ＩＰアドレス：192.0.0.1）のサーバ部（Port No.:50000）から、参加装置である他の電子黒板（ＩＰアドレス：192.0.0.2）のクライアント部（Port No.:50001）に、操作データが送られたことが示されている。
【００９６】
なお、操作合成処理部８４は、この操作合成処理部８４に操作データが入力された順に合成を行うため、通信ネットワーク９が混雑していなければ、各電子黒板２のユーザによるストローク順に、遠隔共有処理中の全ての電子黒板２のディスプレイ３にストローク画像（Ｂ）が表示される。
【００９７】
ページ処理部８５は、クライアント部２０の画像処理部３０におけるページ処理部３７と同様の機能を有し、サーバ部９０でも、図６乃至図８に示されているページデータを、ページデータ記憶部８５０に記憶する。なお、ページデータ記憶部８５０は、画像処理部３０におけるページデータ記憶部３００と同じ内容であるため、その説明を省略する。
【００９８】
＜実施形態の処理又は動作＞
続いて、図１７及び図１８を用いて、本実施形態の処理又は動作について説明する。なお、図１７及び図１８は、各電子黒板の処理を示したシーケンス図である。
【００９９】
図１７及び図１８に示す実施形態では、電子黒板２ａが遠隔共有処理を主催する主催装置（サーバ部及びクライアント部）としての役割を果たしており、電子黒板２ｂ，２ｃが遠隔共有処理に参加する参加装置（クライアント部）としての役割を果たす場合について説明する。また、ここでは、電子黒板２ａ，２ｂ，２ｃには、それぞれディスプレイ３ａ，３ｂ，３ｃが接続され、更に、それぞれノートＰＣ６ａ，６ｂ，６ｃが接続されている。また、電子黒板２ａ，２ｂ，２ｃでは、それぞれ電子ペン４ａ，４ｂ，４ｃが使用される。
【０１００】
（参加の処理）
まず、図１７を用いて、電子黒板２ｂ，２ｃが遠隔共有処理に参加するための処理について説明する。
【０１０１】
ユーザが電子黒板２ａの電源スイッチをオンにすると、電子黒板２ａのクライアント部２０が起動する。そして、ユーザがタッチパネル等の入力装置によってサーバ部９０を起動させる操作をすると、クライアント部２０の遠隔開始処理部６１から同じ電子黒板２ａのサーバ部９０における遠隔接続要求受信部７１に、サーバ部９０の処理を開始させる指示を出力する。これにより、電子黒板２ａでは、クライアント部２０だけでなくサーバ部９０も各種処理を開始可能となる（ステップＳ２１）。
【０１０２】
次に、電子黒板２ａのクライアント部２０におけるＵＩ画像生成部３３が電子黒板２ａとの接続を確立するための接続情報を生成し、映像重畳部２８が、ＵＩ画像生成部３３から表示重畳部３６を介して得た接続情報をディスプレイ３ａに表示させる（ステップＳ２２）。
【０１０３】
この接続情報には、主催装置のＩＰアドレス、及び今回の遠隔共有処理のために生成されたパスコードが含まれている。この場合、パスコード管理部８１０に記憶されているパスコードは、図５に示されている遠隔接続処理部８１によって読み出され、遠隔接続結果送信部７２、遠隔開始処理部６１の順に送信される。更に、パスコードは、遠隔開始処理部６１を含む通信制御部６０から、図３に示されている画像処理部３０に送信され、最終的にＵＩ画像生成部３３に入力される。これにより、接続情報には、パスコードが含まれる。そして、接続情報は、電子黒板２ａのユーザによって、電話や電子メールにより、電子黒板２ｂ，２ｃのユーザに伝えられる。なお、接続先管理テーブル４４０があれば、接続情報には、主催装置のＩＰアドレスが含まれていなくても、参加装置は参加要求を行うことができる。
【０１０４】
次に、電子黒板２ｂ，２ｃでは、各ユーザによるタッチパネル等の入力装置の操作によって接続情報の入力を受け付けると、各電子黒板２ａ，２ｂのクライアント部２０における遠隔参加処理部６２が、接続情報のＩＰアドレスに基づき、通信ネットワーク９を介して、電子黒板２ａのサーバ部９０における通信制御部７０に対してパスコードを送信して参加要求を行う（ステップＳ２３，Ｓ２４）。これにより、通信制御部７０の遠隔接続要求受信部７１は、各電子黒板２ｂ，２ｃから、参加要求（パスコードを含む）を受信し、このパスコードを遠隔接続処理部８１に出力する。
【０１０５】
次に、遠隔接続処理部８１は、各電子黒板２ｂ，２ｃから受信したパスコードに対し、パスコード管理部８１０で管理されているパスコードを用いて認証する（ステップＳ２５）。そして、遠隔接続結果送信部７２が、各電子黒板２ｂ，２ｃのクライアント部２０に認証結果を通知する（ステップＳ２６，Ｓ２７）。ステップＳ２５の認証により、各電子黒板２ｂ，２ｃが正当な電子黒板であると判定されていた場合には、主催装置である電子黒板２ａと、参加装置である電子黒板２ｂ，２ｃとの遠隔共有処理の通信が確立され、各電子黒板２ｂ，２ｃのクライアント部２０における遠隔参加処理部６２が、それぞれ他の電子黒板との間の遠隔共有処理の開始を可能にする（ステップＳ２８，Ｓ２９）。
【０１０６】
（出力画像の表示）
続いて、図１７を用いて、遠隔共有処理における出力画像（Ｃ）が表示される処理について説明する。
【０１０７】
まず、電子黒板２ｂは、ディスプレイ３ｂに出力画像（Ｃ）を表示する（ステップＳ３０）。具体的には、電子黒板２ｂの画像取得部３１が、ノートＰＣ６ｂから映像取得部２１を介して、ノートＰＣ６ｂで表示されている出力画像（Ｃ）のデータを受信し、表示重畳部３６及び映像重畳部２８を介してディスプレイ３ｂに送信することで、ディスプレイ３ｂは出力画像（Ｃ）を表示する。
【０１０８】
次に、電子黒板２ｂの画像取得部３１を含む画像処理部３０が、遠隔画像送信部６３に出力画像（Ｃ）のデータを送信することで、遠隔画像送信部６３を含む通信制御部６０が通信ネットワーク９を介して、主催装置である電子黒板２ａの通信制御部７０に出力画像（Ｃ）のデータを送信する（ステップＳ３１）。これにより、電子黒板２ａの遠隔画像受信部７３は、出力画像（Ｃ）のデータを受信し、遠隔画像処理部８２に出力することで、遠隔画像処理部８２が画像データ記憶部８３０に出力画像（Ｃ）のデータを記憶する。
【０１０９】
次に、主催装置である電子黒板２ａは、ディスプレイ３ａに出力画像（Ｃ）を表示する（ステップＳ３２）。具体的には、電子黒板２ａの遠隔画像処理部８２は、遠隔画像受信部７３から受信した出力画像（Ｃ）のデータを、遠隔画像送信部７４に出力する。遠隔画像送信部７４は、同じ主催装置である電子黒板２ａのクライアント部２０における遠隔画像受信部６４に、出力画像（Ｃ）のデータを出力する。遠隔画像受信部６４は、表示重畳部３６に出力画像（Ｃ）のデータを出力する。表示重畳部３６は、映像重畳部２８に出力画像（Ｃ）のデータを出力する。映像重畳部２８はディスプレイ３ａに出力画像（Ｃ）のデータを出力する。これにより、ディスプレイ３ａは、出力画像（Ｃ）を表示する。
【０１１０】
次に、主催装置としての電子黒板２ａのサーバ部９０における遠隔画像送信部７４を含む通信制御部７０は、通信ネットワーク９を介して、出力画像（Ｃ）のデータの送信元である電子黒板２ｂ以外の電子黒板２ｃの通信制御部６０に出力画像（Ｃ）のデータを送信する（ステップＳ３３）。これにより、参加装置である電子黒板２ｃの遠隔画像受信部６４は、出力画像（Ｃ）のデータを受信する。
【０１１１】
次に、電子黒板２ｃは、ディスプレイ３ｃに出力画像（Ｃ）を表示する（ステップＳ３４）。具体的には、電子黒板２ｃの遠隔画像受信部６４が、上記ステップＳ３３によって受信された出力画像（Ｃ）のデータを、電子黒板２ｃの表示重畳部３６に出力する。表示重畳部３６は、映像重畳部２８に出力画像（Ｃ）のデータを出力する。映像重畳部２８はディスプレイ３ｃに出力画像（Ｃ）のデータを出力する。これにより、ディスプレイ３ｃは、出力画像（Ｃ）を表示する。
【０１１２】
なお、出力画像（Ｃ）のデータだけでなく、ＵＩ画像（Ａ）、及びストローク画像（Ｂ）の各データが、映像重畳部２８に入力されている場合には、表示重畳部３６により、重畳画像（Ａ，Ｂ，Ｃ）が生成され、映像重畳部２８はディスプレイ３ｃに重畳画像（Ａ，Ｂ，Ｃ）のデータを出力する。また、テレビ会議端末７から映像重畳部２８に、テレビ会議用の映像（Ｅ）のデータが送られて来ている場合には、映像重畳部２８は、重畳画像（Ａ，Ｂ，Ｃ）にピクチャ・イン・ピクチャによりテレビ会議用の映像（Ｅ）のデータを重畳して、ディスプレイ３ｃに出力する。
【０１１３】
（重畳画像の表示）
続いて、図１８を用いて、遠隔共有処理における重畳画像が表示される処理について説明する。
【０１１４】
まず、電子黒板２ｂは、ユーザが電子ペン４ｂを用いて電子黒板２ｂにストローク画像（Ｂ）を描画する（ステップＳ４１）。
【０１１５】
次に、電子黒板２ｂの表示重畳部３６は、図１６に示されているように、ＵＩ画像（Ａ）、及び出力画像（Ｃ）に対して、ストローク画像（Ｂ）を重畳し、映像重畳部２８が電子黒板２ｂのディスプレイ３ｂ上に、重畳された重畳画像（Ａ，Ｂ，Ｃ）を表示させる（ステップＳ４２）。具体的には、電子黒板２ｂのストローク処理部３２が座標検知部２２及び接触検知部２４からイベント振分部２５を介して、操作データとしてのストローク画像（Ｂ）のデータを受信し、表示重畳部３６に送信する。これにより、表示重畳部３６は、ＵＩ画像（Ａ）、及び出力画像（Ｃ）に対して、ストローク画像（Ｂ）を重畳することができ、映像重畳部２８が電子黒板２ｂのディスプレイ３ｂ上に重畳画像（Ａ，Ｂ，Ｃ）を表示させることができる。
【０１１６】
次に、電子黒板２ｂのストローク処理部３２を含む画像処理部３０が、遠隔操作送信部６５にストローク画像（Ｂ）のデータを送信することで、電子黒板２ｂの遠隔操作送信部６５は、通信ネットワーク９を介して、主催装置である電子黒板２ａの通信制御部７０にストローク画像（Ｂ）のデータを送信する（ステップＳ４３）。これにより、電子黒板２ａの遠隔操作受信部７５は、ストローク画像（Ｂ）のデータを受信し、遠隔操作処理部８３に出力することで、遠隔操作処理部８３が操作合成処理部８４にストローク画像（Ｂ）のデータを出力する。このようにして、電子黒板２ｂで描画されたストローク画像（Ｂ）のデータは、描画される度に、主催装置である電子黒板２ａの遠隔操作処理部８３に順次送信される。このストローク画像（Ｂ）のデータは、図７に示されているストロークデータＩＤ毎に示されるデータである。よって、例えば、上記したように、ユーザが電子ペン４によってアルファベット「Ｔ」を描く場合は二筆書きとなるため、２つのストロークデータＩＤのそれぞれで示されるストローク画像（Ｂ）のデータが順次送信される。
【０１１７】
次に、主催装置である電子黒板２ａは、ディスプレイ３ａに、電子黒板２ｂから送られて来たストローク画像（Ｂ）のデータが含まれた重畳画像（Ａ，Ｂ，Ｃ）を表示する（ステップＳ４４）。具体的には、電子黒板２ａの操作合成処理部８４は、遠隔操作処理部８３を介して順次送られて来た複数のストローク画像（Ｂ）のデータを合成して、操作データ記憶部８４０に記憶すると共に遠隔操作処理部８３に戻す。これにより、遠隔操作処理部８３は、操作合成処理部８４から受信した、合成後のストローク画像（Ｂ）のデータを、遠隔操作送信部７６に出力する。遠隔操作送信部７６は、同じ主催装置である電子黒板２ａのクライアント部２０における遠隔操作受信部６６に、合成後のストローク画像（Ｂ）のデータを出力する。遠隔操作受信部６６は、画像処理部３０における表示重畳部３６に、合成後のストローク画像（Ｂ）のデータを出力する。よって、表示重畳部３６は、ＵＩ画像（Ａ）、及び出力画像（Ｃ）に対して、合成後のストローク画像（Ｂ）を重畳する。最後に、映像重畳部２８が、表示重畳部３６によって重畳された重畳画像（Ａ，Ｂ，Ｃ）をディスプレイ３ａ上に表示させる。
【０１１８】
次に、主催装置としての電子黒板２ａのサーバ部９０における遠隔操作送信部７６を含む通信制御部７０は、通信ネットワーク９を介して、ストローク画像（Ｂ）のデータの送信元である電子黒板２ｂ以外の電子黒板２ｃの通信制御部６０に、合成後のストローク画像（Ｂ）のデータを送信する（ステップＳ４５）。これにより、参加装置である電子黒板２ｃの遠隔操作受信部６６は、合成後のストローク画像（Ｂ）のデータを受信する。
【０１１９】
次に、電子黒板２ｃは、ディスプレイ３ｃに重畳画像（Ａ，Ｂ，Ｃ）を表示する（ステップＳ３４）。具体的には、電子黒板２ｃの遠隔操作受信部６６が、上記ステップＳ４５によって受信された合成後のストローク画像（Ｂ）のデータを、電子黒板２ｃの画像処理部３０に出力する。画像処理部３０の表示重畳部３６は、ＵＩ画像（Ａ）、及び出力画像（Ｃ）の各データと、合成後のストローク画像（Ｂ）のデータを重畳し、映像重畳部２８に重畳画像（Ａ，Ｂ，Ｃ）のデータを出力する。映像重畳部２８は、ディスプレイ３ｃに重畳画像（Ａ，Ｂ，Ｃ）のデータを出力する。これにより、ディスプレイ３ｃは、重畳画像（Ａ，Ｂ，Ｃ）を表示する。
【０１２０】
なお、上記処理では、ディスプレイ３上に出力画像（Ｃ）が表示されているが、この出力画像（Ｃ）に代えて、背景画像（Ｄ）を表示してもよい。また、出力画像（Ｃ）と背景画像（Ｄ）との排他的な関係をやめて、出力画像（Ｃ）と背景画像（Ｄ）との両方を同時にディスプレイ３上に表示させてもよい。
【０１２１】
（参加の終了）
続いて、図１８を用いて、参加装置が遠隔共有処理への参加を終了する処理について説明する。図１８に示す実施形態では、電子黒板２ｃが参加を終了する処理が示されている。
【０１２２】
まず、電子黒板２ｃでは、ユーザによるタッチパネル等の入力装置の操作によって参加の終了要求を受け付けると、遠隔参加処理部６２は、主催装置としての電子黒板２ａのサーバ部９０における通信制御部７０に、参加の終了要求を行う（ステップＳ４７）。これにより、通信制御部７０の遠隔接続要求受信部７１は、電子黒板２ｃから、参加の終了要求を受信し、遠隔接続処理部８１に、電子黒板２ｃのＩＰアドレスと共に参加の終了要求を出力する。そして、電子黒板２ａの遠隔接続処理部８１は、遠隔接続要求受信部７１から送られて来たＩＰアドレスに基づいて、参加拠点管理テーブル８２０から、参加の終了要求を行った電子黒板２ｃのＩＰアドレス及び電子黒板２ｃが設置されている拠点の名称を削除し、遠隔接続結果送信部７２に、電子黒板２ｃのＩＰアドレス及び削除した旨の通知を出力する。
【０１２３】
次に、遠隔接続結果送信部７２を含んだ通信制御部７０が、通信ネットワーク９を介して、電子黒板２ｃのクライアント部２０における通信制御部６０に、参加の終了を指示する（ステップＳ４８）。これにより、電子黒板２ｃにおける通信制御部６０の遠隔参加処理部６２が、遠隔共有処理の通信を切断することで参加の終了処理を行い、参加が終了する（ステップＳ４９）。
【実施例１】
【０１２４】
本実施例では、手書きオブジェクトの加工によりユーザがディスプレイ３の広さを効率的に利用したり、ユーザによる操作性を向上させたりすることができる電子黒板２について説明する。【０１２５】
手書きオブジェクトはストローク処理部３２により生成され、上記のようにページ処理部３７を介してページデータ記憶部３００に記憶される。本実施例では一例としてストローク処理部３２が手書きオブジェクトの加工を行うものとして説明する。手書きオブジェクトには、座標が連結されたストローク、ストロークが文字や数値などの記号としてＯＣＲ（Optical Character Reader）処理されたテキスト、日付や時刻などのシステム生成文字、三角形や星、円形などの予め定められた図形、矢印や線分、ベジェ曲線などの線などがある。ユーザの描画操作によりディスプレイ３に表示されるこのような情報を手書きオブジェクトと称する。この他、手書きオブジェクトに、ノートＰＣ６から送信された出力画像（Ｃ）を電子黒板２がキャプチャした画像などが含まれてもよい。【０１２６】
＜ストローク処理部の処理＞
図１９はストローク処理部３２の機能ブロック図の一例である。なお、クライアント部２０が含むその他の機能については図２に示されている。【０１２７】
ストローク処理部３２は、既存ストローク処理部３２１、コピー処理部３２２、切り取り処理部３２３、貼り付け処理部３２４、及び、選択領域変倍処理部３２５を有している。このうち、既存ストローク処理部３２１は上記された「イベント振分部２５によって割り振られたストローク描画に係るイベントに基づいて、手Ｈや電子ペン４などの接触位置を連結してストローク画像を描画したり、描画された画像を削除したり、描画された画像を編集する。」機能である。【０１２８】
更に、ストローク処理部３２は貼り付けバッファ３２６を有している。貼り付けバッファ３２６は、ＲＡＭ１０３、ＳＳＤ１０４、又は、ＵＳＢメモリ５等のいずれか１つ以上で構築され、ユーザが最後に記憶させた手書きオブジェクトを記憶している。【０１２９】
コピー処理部３２２は、手書きオブジェクトの全体又はユーザが選択した範囲の手書きオブジェクトを貼り付けバッファ３２６に記録する（コピーする）。【０１３０】
切り取り処理部３２３は、手書きオブジェクトの全体又はユーザが選択した範囲の手書きオブジェクトを貼り付けバッファ３２６に記憶させた後に、これらの手書きオブジェクトをディスプレイ３から消去する。【０１３１】
貼り付け処理部３２４は、貼り付けバッファ３２６に記憶されている手書きオブジェクトをページに貼り付ける。貼り付け位置は、ユーザが電子ペン４や手Ｈで指定した位置である。【０１３２】
選択領域変倍処理部３２５は、手書きオブジェクトの全体又はユーザが選択した範囲の手書きオブジェクトをユーザが指定する倍率に変倍する（縮小及び拡大）。【０１３３】
これらの機能は既存のライブラリや開発ツールを用いて実装されてよい。例えば、コピー、切り取り及び貼り付けの機能は、例えばマイクロソフト（登録商標）社のInkCanvasというプログラムで実現できる。【０１３４】
<<コンテキストメニュー>>
以下、図２０〜２４を用いて、図１９の機能をユーザが選択するためのコンテキストメニューについて説明する。コンテキストメニューは、ＵＩ画像生成部３３によりＵＩ画像（Ａ）の一種として生成される。コンテキストメニューは、電子ペン４が後述する枠の内側か外側か及び貼り付けバッファ３２６の状態に応じて、ユーザが選択可能な操作のコマンド（操作項目）を提供する。これにより、ユーザがコマンドを選択しても操作できない状況が生じることを防止できる。【０１３５】
図２０は、ディスプレイ３に表示された手書きオブジェクトの一例を示す図である。図２０には、日付５０１、フローチャート５０２、矢印５０３、ＯＣＲ判別文字５０４、赤文字５０５の各手書きオブジェクトが表示されている。日付５０１はシステム生成文字、フローチャート５０２はストローク、矢印５０３は線、ＯＣＲ判別文字５０４はテキスト、赤文字５０５は赤色で描画されたストロークに相当する（図では赤色であることは明らかでない）。【０１３６】
図２１は、ユーザが選択した状態の手書きオブジェクトの一例を示す図である。手書きオブジェクトを選択するには、ユーザは例えば、手書きオブジェクトを囲む軌跡を電子ペン４や手Ｈで描画する。あるいは手書きオブジェクトの一部を電子ペン４や手Ｈでタッチすることで選択可能でもよい。【０１３７】
ＵＩ画像生成部３３は選択された手書きオブジェクトを囲む矩形状の枠５１０を描画する。ユーザは枠５１０を見てコピーしたい手書きオブジェクトを選択できたか否かを判定できる。【０１３８】
<<枠内、かつ、貼り付けバッファ３２６が空>>
次に、ユーザがコンテキストメニューを表示させるため、ユーザが電子ペン４を枠５１０内で長押ししたものとする。ここでは、貼り付けバッファ３２６が空であるものとする。これにより図２２に示すようなコンテキストメニュー５０９をＵＩ画像生成部３３が表示する。図２２は、表示されたコンテキストメニュー５０９の一例を示す。【０１３９】
貼り付けバッファ３２６に何も記憶されていない状態、かつ、ユーザが枠５１０内でコンテキストメニュー５０９を表示させたため、コンテキストメニュー５０９には、コピーする５０９ａ、切り取る５０９ｂ、７５％に縮小する５０９ｅ、６６％に縮小する５０９ｆ、５０％に縮小する５０９ｇ、１２０％に拡大する５０９ｈ、１５０％に拡大する５０９ｉ、及び、２００％に拡大する５０９ｊ、の各コマンドが表示されている。以下、各コマンドについて説明する。【０１４０】
コピーする５０９ａというコマンド（コピー操作）がユーザにより選択されると、コピー処理部３２２が枠５１０内の手書きオブジェクトを貼り付けバッファ３２６にコピーする。コピーする５０９ａというコマンドは、ユーザが電子ペン４を枠５１０外で長押しした場合は選択不可になる。【０１４１】
切り取る５０９ｂというコマンド（切取操作）がユーザにより選択されると、切り取り処理部３２３が枠５１０内の手書きオブジェクトを貼り付けバッファ３２６にコピーする。また、切り取り処理部３２３は枠５１０内の手書きオブジェクトを消去する。切り取る５０９ｂというコマンドは、ユーザが電子ペン４を枠５１０外で長押しした場合は選択不可になる。【０１４２】
７５％に縮小する５０９ｅというコマンド（変倍操作のうちの縮小操作）がユーザにより選択されると、選択領域変倍処理部３２５が縦横比を保持したまま枠５１０内の手書きオブジェクトを、枠５１０の左上コーナーを基点にして元の７５％のサイズに縮小する。手書きオブジェクトの選択状態は保持されたままである。【０１４３】
７５％に縮小する５０９ｅというコマンドは、ユーザが電子ペン４を枠５１０外で長押しした場合は選択不可になる。ただし、ユーザが電子ペン４を枠５１０外で長押しした場合に選択可能であってもよい。例えば、手書きオブジェクトが選択されていない場合に７５％に縮小する５０９ｅというコマンドが選択された場合、自動的にディスプレイ３に表示された手書きオブジェクトの全体が縮小の対象となる。ユーザはこのような設定を電子黒板２に対し行うことができる。なお、この場合の基点はディスプレイ３の左上コーナーなどでよい。【０１４４】
６６％に縮小する５０９ｆというコマンドと５０％に縮小する５０９ｇというコマンドがユーザにより選択された場合、それぞれ６６％と５０％のサイズに縮小する。【０１４５】
１２０％に拡大する５０９ｈというコマンド（変倍操作のうちの拡大操作）がユーザにより選択されると、選択領域変倍処理部３２５が縦横比を保持したまま枠５１０内の手書きオブジェクトを、枠５１０の左上コーナーを基点にして元の１２０％のサイズに拡大する。手書きオブジェクトの選択状態は保持されたままである。１２０％に拡大する５０９ｈというコマンドは、ユーザが電子ペン４を枠５１０外で長押しした場合は選択不可になる。ただし、縮小の場合と同様に選択可能でもよい。【０１４６】
なお、拡大時に選択範囲の右下コーナーがディスプレイ３の画面外になる場合は、右下コーナーが画面外にならないように左上コーナーが基点に向けて移動する。基点に向けて可能な限り移動しても右下コーナーがディスプレイ３の画面外になる場合、画面外にならない最大の拡大率で手書きオブジェクトを拡大する。画面外になるかどうかは枠５１０の右下コーナーの拡大後の座標（Ｘ，Ｙ）がディスプレイ３の画面内かどうかを判定すればよい。最大の拡大率は、ディスプレイ３の最大座標（Ｘmax、Ｙmax）と枠５１０の右下コーナーの拡大前の座標（Ｘ，Ｙ）の比により算出される（例えば、Ｘmax/Ｘ、Ｙmax/Ｙ）。【０１４７】
あるいは、基点に向けて可能な限り移動しても右下コーナーがディスプレイ３の画面外になる場合、拡大を行わなくてもよい。この場合、ＵＩ画像生成部３３はメッセージを表示するなどしてユーザに拡大できない旨を通知する。【０１４８】
１５０％に拡大する５０９ｉというコマンドと２００％に拡大する５０９ｊというコマンドがユーザにより選択された場合、手書きオブジェクトをそれぞれ元の１５０％と２００％のサイズに拡大する。【０１４９】
<<枠内、かつ、貼り付けバッファ３２６が空でない>>
枠５１０内で電子ペン４が長押しされ、かつ、貼り付けバッファ３２６が空でない場合、図２３に示すコンテキストメニュー５０９が表示される。図２３は、貼り付けバッファ３２６が空でなく、かつ、枠５１０内で電子ペン４が長押しされた場合に表示されるコンテキストメニュー５０９の一例を示す。【０１５０】
貼り付けバッファ３２６が空でないため、図２２のコマンドに加え、貼り付ける５０９ｃというコマンドとすべてのページに貼り付ける５０９ｄというコマンドが表示される。【０１５１】
貼り付ける５０９ｃというコマンド（貼付操作）がユーザにより選択されると、貼り付け処理部３２４が貼り付けバッファ３２６に記憶されている手書きオブジェクトをユーザが電子ペン４で指示している位置に貼り付ける。貼り付けられた手書きオブジェクトは選択状態になる。したがって、異なる手書きオブジェクトが重畳して描画される場合がある。なお、枠５１０内の手書きオブジェクトを消去してから貼り付けてもよい。【０１５２】
なお、選択範囲よりも貼り付けバッファ３２６に記憶されている手書きオブジェクトのサイズの方が大きい場合、選択範囲からはみ出してもよいし、選択範囲内に入るように縮小してもよい。選択範囲からはみ出す場合は、枠５１０外の手書きオブジェクトと重複する場合がある。【０１５３】
すべてのページに貼り付ける５０９ｄというコマンドがユーザにより選択されると、貼り付け処理部３２４が貼り付けバッファ３２６に記憶されている手書きオブジェクトを、すべてのページに貼り付ける。貼り付け方は貼り付ける５０９ｃというコマンドと同様である。電子黒板２はファイル単位でページを管理しており、全てのページとは１つのファイルに含まれる全てのページをいう。１画面分の手書きオブジェクトが１ページに記録される。ページはユーザが必要に応じて追加ボタン５１２を押下することで増やすことができ、すべてのページに貼り付ける５０９ｄというコマンドが選択された時点でファイルに含まれる全てのページに手書きオブジェクトが貼り付けられる。【０１５４】
<<枠外、かつ、貼り付けバッファ３２６が空でない>>
次に、コンテキストメニュー５０９を表示させるため、ユーザが電子ペン４を枠５１０外で長押ししたものとする。これにより図２４Ａに示すようなコンテキストメニュー５０９が表示される。図２４Ａは、枠５１０外で電子ペン４が長押しされた場合に表示されたコンテキストメニュー５０９の一例を示す。貼り付けバッファ３２６は空でないが、ユーザが枠５１０外でコンテキストメニュー５０９を表示させたため、コンテキストメニュー５０９は、貼り付ける５０９ｃ及びすべてのページに貼り付ける５０９ｄ、の各コマンドを表示する。【０１５５】
枠５１０外でこれらのコマンドが選択された場合、貼り付け処理部３２４が貼り付けバッファ３２６に記憶されている手書きオブジェクトを、電子ペン４の位置に貼り付ける。ディスプレイ３をはみ出す手書きオブジェクトは描画されないか、又は、縮小して描画される。あるいは、電子黒板２がメッセージをはみ出す旨を表示して、貼り付けを行わなくてもよい。【０１５６】
<<枠なし、かつ、貼り付けバッファ３２６が空でない>>
ユーザが、手書きオブジェクトを選択せずに、電子ペン４を長押ししたものとする。これにより図２４Ｂに示すようなコンテキストメニューが表示される。すなわち、貼り付ける５０９ｃというコマンド、すべてのページに貼り付ける５０９ｄ、及び拡大・縮小のコマンドが表示される。貼り付ける５０９ｃというコマンド、すべてのページに貼り付ける５０９ｄが選択された場合、貼り付けバッファ３２６に記憶された手書きオブジェクトが電子ペン４の位置に貼り付けられる。拡大・縮小のコマンドが選択された場合、ディスプレイ３の手書きオブジェクトの全てを囲む矩形領域が拡大又は縮小される。【０１５７】
なお、貼り付けバッファ３２６が空の場合、拡大・縮小のコマンドのみが選択可能に表示される。【０１５８】
<<コピーする、貼り付ける>>
続いて、図２５Ａ〜３０Ｂを用いて、各コマンドが選択された場合にディスプレイ３に表示される手書きオブジェクトについて説明する。【０１５９】
図２５Ａ、２５Ｂはコピーと貼り付けの操作を説明する図の一例である。図２５Ａはコピーされた手書きオブジェクトの一例を示す。図２５Ａでは赤文字５０５が選択された状態であり、ユーザが枠５１０内でコンテキストメニュー５０９を表示させ、コピーする５０９ａというコマンドで赤文字５０５を貼り付けバッファ３２６にコピーしたものとする。【０１６０】
次に、ユーザが枠５１０外のコピー先でコンテキストメニュー５０９を表示させ、貼り付ける５０９ｃというコマンドを選択したものとする。これにより、図２５Ｂに示すように、貼り付けバッファ３２６にコピーされた赤文字５０５−２が貼り付けられる。貼り付けられる位置は、ユーザがコンテキストメニュー５０９を表示させるために電子ペン４を長押した位置である。また、貼り付けたられた手書きオブジェクトは枠５１０により選択された状態になる。【０１６１】
図２６は重畳して貼り付けられた手書きオブジェクトの一例を示す図である。貼り付けバッファ３２６には図２１の枠５１０内の手書きオブジェクトが記憶されているものとする。そして、ユーザが枠５１０内又は枠５１０外でコンテキストメニュー５０９を表示させ、貼り付ける５０９ｃというコマンドを選択した。図示するように、枠５１０内の手書きオブジェクトが貼り付けられるので、同じ手書きオブジェクトがそれぞれ２つずつ表示される。【０１６２】
<<切り取る>>
図２７Ａ、２７Ｂは切り取りの操作を説明する図の一例である。図２７Ａでは赤文字５０５が選択された状態である。次に、ユーザが枠５１０内でコンテキストメニュー５０９を表示させ、切り取る５０９ｂというコマンドを選択したものとする。これにより、図２７Ｂに示すように、赤文字５０５が消去される。【０１６３】
<<すべてのページに貼り付ける>>
説明の便宜上、すべてのページに貼り付ける５０９ｄが選択される前に各ページには手書き情報がないものとして説明する。【０１６４】
図２８はすべてのページに貼り付ける５０９ｄというコマンドがユーザにより選択された場合の画面の一例を示す。例えば、ファイルが４ページのページデータを有し、貼り付けバッファ３２６に「ＡＢＣ」というストロークが保持されているものとする。ユーザが枠５１０内又は枠５１０外でコンテキストメニュー５０９を表示させ、すべてのページに貼り付ける５０９ｄというコマンドを選択したものとする。【０１６５】
貼り付け処理部３２４は各ページの電子ペン４が指示する位置に「ＡＢＣ」を貼り付ける。ディスプレイ３の下部には各ページのサムネイル５１１が表示されているが、図２８に示すように全てのページに「ＡＢＣ」が貼り付けられる。この機能は、全ページに例えば「社外秘」などの文字をユーザが書き込みたい場合に便利である。【０１６６】
<<７５％に縮小する>>
図２９Ａ−２９Ｃは縮小の操作を説明する図の一例である。図２９Ａは選択された手書きオブジェクトの一例を示す。この状態で、ユーザが枠５１０内でコンテキストメニュー５０９を表示させ、７５％に縮小する５０９ｅというコマンドを選択したものとする。【０１６７】
図２９Ｂは７５％に縮小された手書きオブジェクトの一例を示す。枠５１０の左上コーナーを基点して枠５１０内の手書きオブジェクトのサイズが７５％に縮小されている。また、枠５１０が表示されたままなので、選択状態が維持されている。座標の算出方法については図３１，３２で説明する。【０１６８】
なお、図２９Ａ、２９Ｂでは電子ペン４が表示されているが、電子ペン４は図２９Ａにおいて枠５１０内にあればよく、図示された位置は一例である。【０１６９】
<<５０％に縮小する>>
図２９Ｃは５０％に縮小された手書きオブジェクトの一例を示す。枠５１０の左上コーナーを基点して枠５１０内の手書きオブジェクトのサイズが５０％に縮小されている。また、枠５１０が表示されたままなので、選択状態が維持されている。【０１７０】
図２９Ｂ、２９Ｃから分かるように、本実施例では複数の手書きオブジェクトが枠５１０内に描画されていても、選択領域変倍処理部３２５は、各手書きオブジェクトを縮小率で縮小するだけでなく、手書きオブジェクト間の間隔を縮小率で縮小する。よって、各手書きオブジェクトが縮小後の位置に元から手書きされていたかのように、各手書きオブジェクト間の距離が接近する。【０１７１】
従来、オブジェクトの縮小機能を備えたアプリケーションソフトでは、複数のオブジェクトが選択された場合に、個々のオブジェクトを縮小できても、各オブジェクトの間隔を縮小率に応じて縮小させることは困難であった。本実施例の電子黒板２は、各手書きオブジェクトが座標点で構成されているので、手書きオブジェクトの間隔も縮小率に応じて変更することができる。【０１７２】
また、一般のアプリケーションソフトで画像データが縮小された場合、画像データ内の手書きオブジェクトの間隔も縮小されるが、画質が劣化してしまう。また、ユーザが画面の表示倍率を縮小した場合、手書きオブジェクト及び間隔が縮小されるが、ユーザが手書きする文字等も縮小されてしまう。【０１７３】
本実施形態の電子黒板２は、いくつかの手書きオブジェクトをまとめて縮小し間隔も縮小可能であるため、ユーザは手書きオフジェクトを個別に縮小したり移動させたりすることなく余白を作成できる。また、電子黒板２にユーザが手書きする場合、線の太さなどによっては文字などがつぶれやすいため、ユーザは比較的、大きな文字等を描画する傾向がある。このため、余白がなくなりやすく縮小したいという要請が従来からあるが、本実施形態の電子黒板２はこの要請にも応えることができる。また、文字等が比較的、大きく描画されているので、縮小しても可読性が低下しにくい。【０１７４】
余白を作成するだけならユーザは次のページを作成して該ページに手書きすることもできる。しかし、ページが増えることで管理や内容の把握が困難になるおそれがある。また、すでに描画されている手書きオフジェクトに関連する情報をユーザが付加したい場合がある。本実施形態の電子黒板２は、ページを増やすことなくユーザが手書き情報を追加でき、また、すでに描画されている手書きオフジェクトに関連する情報を付加できる。【０１７５】
また、余白を作成するための操作に関しても、画面の全体を縮小する場合、ユーザはオブジェクトの選択を省略できる。したがって、１．コンテキストメニュー５０９の表示、２．５０％に縮小する、という２回の操作で余白を作成できる。【０１７６】
<<１２０％に拡大する>>
図３０Ａ、３０Ｂは拡大の操作を説明する図の一例である。図３０Ａは選択された手書きオブジェクトの一例を示す。この状態で、ユーザが枠５１０内でコンテキストメニュー５０９を表示させ、１２０％に拡大する５０９ｈというコマンドを選択したものとする。【０１７７】
図３０Ｂは１２０％に拡大された手書きオブジェクトの一例を示す。枠５１０の左上コーナーを基点として枠５１０内の手書きオブジェクトのサイズが１２０％に拡大されている。また、枠５１０が表示されたままなので、選択状態が維持されている。【０１７８】
拡大する場合も同様に、各手書きオブジェクトが拡大されると共に、各手書きオフジェクトの間隔が拡大率にしたがって広くなっている。よって、拡大後の位置に各手書きオブジェクトが元から手書きされていたかのように、各手書きオブジェクトの間隔を離間できる。例えば、手書きオフジェクトを縮小したために文字などの可読性が低下した場合でも、拡大することで可読性を向上できる。【０１７９】
＜座標配列データについて＞
図３１、図３２を用いて、コンテキストメニュー５０９のコマンドが選択された場合の座標配列データについて説明する。図３１（ａ）に示すように、直線５２２が描画されているものとする。直線５２２を構成する構成点のうち点Ｐ１〜Ｐ４の座標がページデータ記憶部３００に記憶されている。【０１８０】
この状態で、ユーザが直線５２２をコピーして、Ｙ方向の位置を変更することなく直線５２２の右側に貼り付けたものとする。図３１（ｂ）に示すように、直線５２２とコピーされた直線５２３が表示される。また、ページデータ記憶部３００にはコピーされた直線５２３を構成する点Ｐ５〜Ｐ８の座標が記憶される。このように、コマンド実行の際、ストローク処理部３２は手書きオブジェクトを座標データのまま処理するので、コピーされた手書きオブジェクトは、ユーザが直接、手書きした手書きオブジェクトと同様に座標データで扱われる。【０１８１】
また、図３２（ａ）では、直線５２４と５２５が描画されている。直線５２４、５２５を構成する点のうちＰ１〜Ｐ３、Ｐ４，Ｐ５の座標がページデータ記憶部３００に記憶されている。【０１８２】
この状態で、ユーザが直線５２４、５２５を選択し、５０％に縮小する５０９ｇというコマンドを選択したものとする。図３２（ｂ）に示すように、直線５２４、５２５が枠５１０の左上コーナーを基点にして縮小され、直線５２４−２、５２５−２が描画される。具体的には、Ｘ座標とＹ座標のそれぞれが基点を原点として元の５０％の値になる。ページデータ記憶部３００では点Ｐ１〜Ｐ３の座標が縮小後の値に更新される。【０１８３】
例えば、縮小前の点Ｐ１〜Ｐ３のＸ方向の長さは２００，Ｙ方向の長さは２００である。これに対し、縮小後の点Ｐ１〜Ｐ３のＸ方向の長さは１００，Ｙ方向の長さは１００である。したがって、直線５２４のサイズが５０％に縮小されている。【０１８４】
また、縮小前の点Ｐ１とＰ４のＸ座標の差が２００であるの対し、縮小後の点Ｐ１とＰ４のＸ座標の差は１００である。したがって、手書きオブジェクトの間隔も５０％に縮小される。【０１８５】
このように、ストローク処理部３２は手書きオブジェクトを座標のまま縮小し、座標を元にして手書きオブジェクトを描画するので画質が劣化しにくい。拡大した場合も同様で、画像の拡大によるジャギーなどが生じにくく、拡大しても高画質な手書きオブジェクトを表示できる。【０１８６】
＜その他の適用例＞
以上、本発明を実施するための最良の形態について実施例を用いて説明したが、本発明はこうした実施例に何等限定されるものではなく、本発明の要旨を逸脱しない範囲内において種々の変形及び置換を加えることができる。【０１８７】
例えば、ユーザは枠５１０に囲まれた複数のオブジェクトを任意の場所に移動可能であってもよい。【０１８８】
また、例えば、コンテキストメニュー５０９の表示方法は、電子黒板２に設けられたハードキーの押下、電子ペン４や手Ｈによるディスプレイ３の所定の場所のタッチ、予め定められた電子ペン４の操作（例えばボタンを押す、シェイク、強く握るなど）などでもよく、電子ペン４の長押しには限られない。【０１８９】
また、図３３Ａ、３３Ｂに示すように、コンテキストメニュー５０９内のコマンドを１回の操作で呼び出すショートカット操作が可能でもよい。図３３Ａはディスプレイ３の側面４０３に配置されたショートカットボタン４０２を示す。ショートカットボタン４０２には、例えば５０％に縮小する５０９ｇというコマンドが関連づけられており、ショートカットボタン４０２が押下されると選択領域変倍処理部３２５が動作する。この場合、ディスプレイ３の全ての手書きオブジェクトが選択される。したがって、ユーザは１回の操作で余白を作成することができる。【０１９０】
また、図３３Ｂに示すように、電子ペン４にショートカットボタン４０４が配置されてもよい。この場合、ユーザがショートカットボタン４０４を押下すると、接触検知部２４がそれを検知し、ストローク処理部３２に通知される。これにより、選択領域変倍処理部３２５が動作することができる。【０１９１】
この他、ショートカットボタンがソフトキーとしてディスプレイ３に表示されてもよいし、予め定められた電子ペン４の操作により選択領域変倍処理部３２５が動作してよい。なお、ユーザはショートカットボタンにどのコマンドを関連づけるかを選択し電子黒板２に設定できる。【０１９２】
また、貼り付けバッファ３２６について本実施例では１回の選択分の手書きオブジェクトのみ記憶されると説明したが、複数回の選択分の手書きオブジェクトを記憶可能でもよい。この場合、貼り付け処理部３２４は貼り付けバッファ３２６に記憶されている複数の手書きオブジェクトをリスト状に表示して、その中からユーザが選択した手書きオブジェクトを貼り付ける。【０１９３】
また、本実施例では縮小率と拡大率が固定されていたが、ユーザが縮小率及び拡大率を設定可能でもよい。【０１９４】
本国際特許出願は、２０１５年６月４日に出願した日本国特許出願第２０１５−１１３７９９号に基づきその優先権を主張するものであり、日本国特許出願第２０１５−１１３７９９号の全内容を参照によりここに援用する。
【符号の説明】
【０１９５】
１        画像処理システム
２        電子黒板
３        ディスプレイ
４        電子ペン
６        ノートＰＣ
７        テレビ会議端末
９        通信ネットワーク
２８      映像重畳部
３０      画像処理部
３２      ストローク処理部
３３      ＵＩ画像生成部
３４      背景生成部
３２２    コピー処理部
３２３    切り取り処理部
３２４    貼り付け処理部
３２５    選択領域変倍処理部
５０９    コンテキストメニュー
【図１】
2016194650.tif 000003
【図２】
2016194650.tif 000004
【図３】
2016194650.tif 000005
【図４】
2016194650.tif 000006
【図５】
2016194650.tif 000007
【図６】
2016194650.tif 000008
【図７】
2016194650.tif 000009
【図８】
2016194650.tif 000010
【図９】
2016194650.tif 000011
【図１０】
2016194650.tif 000012
【図１１】
2016194650.tif 000013
【図１２】
2016194650.tif 000014
【図１３】
2016194650.tif 000015
【図１４】
2016194650.tif 000016
【図１５】
2016194650.tif 000017
【図１６】
2016194650.tif 000018
【図１７】
2016194650.tif 000019
【図１８】
2016194650.tif 000020
【図１９】
2016194650.tif 000021
【図２０】
2016194650.tif 000022
【図２１】
2016194650.tif 000023
【図２２】
2016194650.tif 000024
【図２３】
2016194650.tif 000025
【図２４Ａ】
2016194650.tif 000026
【図２４Ｂ】
2016194650.tif 000027
【図２５Ａ】
2016194650.tif 000028
【図２５Ｂ】
2016194650.tif 000029
【図２６】
2016194650.tif 000030
【図２７Ａ】
2016194650.tif 000031
【図２７Ｂ】
2016194650.tif 000032
【図２８】
2016194650.tif 000033
【図２９Ａ】
2016194650.tif 000034
【図２９Ｂ】
2016194650.tif 000035
【図２９Ｃ】
2016194650.tif 000036
【図３０Ａ】
2016194650.tif 000037
【図３０Ｂ】
2016194650.tif 000038
【図３１】
2016194650.tif 000039
【図３２】
2016194650.tif 000040
【図３３Ａ】
2016194650.tif 000041
【図３３Ｂ】
2016194650.tif 000042
【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
表示装置にオブジェクトを表示する情報処理装置であって、
枠で囲むことにより前記オブジェクトを指定する指定手段と、
指定された前記オブジェクトへの操作を受け付ける操作受付手段と、
前記操作受付手段が複数の前記オブジェクトに対する変倍操作を受け付けた場合、複数の前記オブジェクトの構成点の座標をそれぞれ変更する座標変更手段と、
前記座標変更手段により前記構成点の座標が変更された複数の前記オブジェクトを前記表示装置に表示させるオブジェクト表示手段と、
を有し、
前記操作受付手段は、前記オブジェクトを指定するための前記枠の外側又は内側のどちらが指示されたかに応じて異なる操作項目を表示し、
前記オブジェクトの構成点の前記座標の基点は、複数の前記オブジェクトを囲む前記枠の隅である、情報処理装置。
【請求項２】
前記座標変更手段は、複数の前記オブジェクトのサイズを変倍すると共に、複数の前記オブジェクトの間隔を変倍することで、複数の前記オブジェクトの間隔を接近又は離間させる請求項１に記載の情報処理装置。
【請求項３】
前記オブジェクトの前記構成点の座標を記憶する座標記憶手段を有し、
前記座標変更手段は、前記座標記憶手段に記憶されている複数の前記オブジェクトの前記構成点の座標を変倍する請求項１又は２に記載の情報処理装置。
【請求項４】
前記操作受付手段が複数の前記オブジェクトに対する縮小操作を受け付けた場合、
前記座標変更手段は、複数の前記オブジェクトを縮小すると共に所定の基点に対し複数の前記オブジェクトを接近させることで、
縮小前の複数の前記オブジェクトを含む範囲と、縮小後の複数の前記オブジェクトを含む範囲の差分として得られる余白を作成する請求項１〜３のいずれか１項に記載の情報処理装置。
【請求項５】
前記操作受付手段が複数の前記オブジェクトに対する拡大操作を受け付けた場合、
前記座標変更手段は、複数の前記オブジェクトを拡大すると共に所定の基点に対し複数の前記オブジェクトを離間させる請求項１〜４のいずれか１項に記載の情報処理装置。
【請求項６】
前記操作受付手段は、前記表示装置に複数の前記オブジェクトが表示されている状態から、１回の操作で複数の前記オブジェクトの指定と変倍操作を受け付ける請求項１〜５いずれか１項に記載の情報処理装置。
【請求項７】
前記操作受付手段が前記オブジェクトの指定を受け付けずに、前記オブジェクトに対する変倍操作を受け付けた場合、
前記座標変更手段は、前記表示装置に表示されている全ての前記オブジェクトの前記構成点の座標を変倍する請求項６に記載の情報処理装置。
【請求項８】
前記表示装置の１画面分の前記オブジェクトを１つのページデータとして保存し、複数の前記ページデータをファイルに管理するオブジェクト管理手段と、
記憶手段に記憶されている前記オブジェクトを、複数の前記ページデータにそれぞれ貼り付ける貼付操作を前記操作受付手段が受け付けた場合、前記ファイル内の全てのページに前記オブジェクトを貼り付ける第一貼付手段と、
を有する請求項１〜７のいずれか１項に記載の情報処理装置。
【請求項９】
前記操作受付手段が前記オブジェクトの指定及び前記オブジェクトをコピーするコピー操作を受け付けた場合、指定された前記オブジェクトを記憶手段にコピーするコピー手段、を有する請求項１〜８のいずれか１項に記載の情報処理装置。
【請求項１０】
前記操作受付手段が前記オブジェクトの指定及び前記オブジェクトを切り取る切り取り操作を受け付けた場合、指定された前記オブジェクトを記憶手段にコピーすると共に、指定された前記オブジェクトを前記表示装置から消去する切取手段、を有する請求項１〜９のいずれか１項に記載の情報処理装置。
【請求項１１】
前記操作受付手段が前記表示装置に前記オブジェクトを貼り付ける貼付操作を受け付けた場合、記憶手段に記憶されている前記オブジェクトを前記表示装置に表示させる第二貼付手段、を有する請求項１〜９のいずれか１項に記載の情報処理装置。
【請求項１２】
前記操作受付手段がコピー操作又は切取操作を受け付けた前記オブジェクトを記憶する記憶手段を有し、
前記操作受付手段は、前記オブジェクトを指定するための    枠の外側又は内側のどちらが指示されたか、及び、前記記憶手段に前記オブジェクトが記憶されているか否か、に応じて、コピー操作、切取操作、貼付操作、及び、変倍操作のうち選択可能な操作項目を表示する請求項１〜１１いずれか１項に記載の情報処理装置。
【請求項１３】
表示装置にオブジェクトを表示する情報処理装置が行う画像表示方法であって、
指定手段が、枠で囲むことにより前記オブジェクトを指定する指定ステップと、
操作受付手段が、指定された前記オブジェクトへの操作を受け付ける操作受付ステップと、
前記操作受付手段が複数の前記オブジェクトに対する変倍操作を受け付けた場合、座標変更手段が、複数の前記オブジェクトの構成点の座標を変更するステップと、
オブジェクト表示手段が、前記座標変更手段により前記構成点の座標が変更された複数の前記オブジェクトを前記表示装置に表示させるステップと、
を有し、
前記操作受付手段は、前記オブジェクトを指定するための前記枠の外側又は内側のどちらが指示されたかに応じて異なる操作項目を表示し、
前記オブジェクトの構成点の前記座標の基点は、複数の前記オブジェクトを囲む前記枠の隅である、画像表示方法。
【請求項１４】
表示装置にオブジェクトを表示する情報処理装置を、
枠で囲むことにより前記オブジェクトを指定する指定手段と、
指定された前記オブジェクトへの操作を受け付ける操作受付手段と、
前記操作受付手段が複数の前記オブジェクトに対する変倍操作を受け付けた場合、複数の前記オブジェクトの構成点の座標をそれぞれ変更する座標変更手段と、
前記座標変更手段により前記構成点の座標が変更された複数の前記オブジェクトを前記表示装置に表示させるオブジェクト表示手段と、
として機能させるためのプログラムであって、
前記操作受付手段は、前記オブジェクトを指定するための前記枠の外側又は内側のどちらが指示されたかに応じて異なる操作項目を表示し、
前記オブジェクトの構成点の前記座標の基点は、複数の前記オブジェクトを囲む前記枠の隅である、プログラム。
【請求項１５】
前記座標変更手段は、前記操作受付手段が複数の前記オブジェクトに対する拡大操作を受け付けた場合であって、拡大時に前記オブジェクトが画面外に表示されることになる場合には、前記座標変更手段は、画面外にならないように、上記座標の基点を移動させる請求項１に記載の情報処理装置。
【請求項１６】
前記操作受付手段が複数の前記オブジェクトに対する拡大操作を受け付けた場合であって、拡大時に前記オブジェクトが画面外に表示されることになる場合には、前記座標変更手段は、画面外にならない最大の拡大率で前記オブジェクトを拡大する請求項１に記載の情報処理装置。
【国際調査報告】
2016194650.tif 000043
2016194650.tif 000044
2016194650.tif 000045
2016194650.tif 000046